(57)【要約】【課題】学習対象者の学習を効果的に支援すること。【解決手段】操作端末から受信した報告情報および当該報告情報を受信した日時に関する情報を該当する共有グループの識別情報に関連付けて記憶し、親などの共有者の端末装置または操作端末から閲覧要求を受信した場合、該当する共有グループを特定し、特定した共有グループの識別情報に関連付けられた報告情報に含まれる学習内容に関する情報を経時順に配列したトーク画面４０６を端末装置および操作端末に表示させる画面情報を生成し、生成した画面情報を、閲覧要求に基づいて特定した共有グループに属する端末装置および操作端末に送信するサーバを構成した。【選択図】図４−６
2015102557.tif 000002
【特許請求の範囲】
【請求項１】
コンピュータに、
学習対象者の端末装置から、当該学習対象者の識別情報と当該学習対象者の端末装置を用いた学習内容に関する情報とを含む報告情報を受信し、
前記学習対象者の識別情報と前記報告情報を共有する共有グループの識別情報と当該共有グループに属する共有者の識別情報とを関連付けて記憶する第１の記憶部を参照して、受信した報告情報に含まれる学習対象者の識別情報に関連付けられた共有グループを特定し、
特定した共有グループの識別情報に関連付けて、受信した報告情報および当該報告情報を受信した日時に関する情報を第２の記憶部に記憶し、
前記共有者の端末装置または前記学習対象者の端末装置から、前記共有者の識別情報または前記学習対象者の識別情報を含む閲覧要求を受信し、
前記第１の記憶部を参照して、受信した閲覧要求に含まれる共有者の識別情報または学習対象者の識別情報に関連付けられた共有グループを特定し、
前記第２の記憶部を参照して、前記閲覧要求に基づいて特定した共有グループの識別情報に関連付けられた報告情報を抽出し、
抽出した報告情報に基づいて、前記学習内容に関する情報を経時順に配列したトーク画面を前記共有者の端末装置および前記学習対象者の端末装置に表示させる画面情報を生成し、
生成した画面情報を、前記閲覧要求に基づいて特定した共有グループに属する共有者の端末装置、および、当該共有グループに属する学習対象者の端末装置に送信する、
処理を実行させることを特徴とする学習賛助プログラム。
【請求項２】
前記生成する処理は、
前記学習内容に関する情報を経時順に配列するとともに当該学習内容に対するコメントを入力させる操作キーを配列したトーク画面を前記共有者の端末装置に表示させる共有者用の画面情報と、前記学習内容に関する情報を経時順に配列したトーク画面を前記学習対象者の端末装置に表示させる学習対象者用の画面情報と、を生成し、
前記送信する処理は、
生成した共有者用の画面情報を前記共有者の端末装置に送信するとともに、生成した学習対象者用の画面情報を前記学習対象者の端末装置に送信し、
さらに、前記コンピュータに、
前記共有者の端末装置から、前記共有者の識別情報と前記共有者の端末装置に表示された操作キーの操作にともなって入力された学習内容に対するコメントに関する情報と当該コメントに対応する報告情報を指定する指定情報とを含むコメント情報を受信し、
前記第１の記憶部を参照して、受信したコメント情報に含まれる共有者の識別情報に関連付けられた共有グループを特定し、
特定した共有グループの識別情報に関連付けて、受信したコメント情報、当該コメント情報を受信した日時に関する情報および前記指定情報を第２の記憶部に記憶し、
前記第２の記憶部を参照して、前記特定情報を含むコメント情報に含まれる前記コメントに関する情報を、当該特定情報によって特定される報告情報の表示枠内または特定した報告情報の近傍に配列したトーク画面を表示させる学習対象者用の画面情報を生成することを特徴とする請求項１に記載の学習賛助プログラム。
【請求項３】
前記生成する処理は、
前記学習内容と同じまたは当該学習内容に類する問題を、抽出した報告情報の表示枠内または特定した報告情報の近傍に配列したトーク画面を表示させる共有者用の画面情報を生成することを特徴とする請求項２に記載の学習賛助プログラム。
【請求項４】
前記コンピュータに、
前記共有者の端末装置から、前記共有者の識別情報と前記共有者の端末装置において入力されたコメントに関する情報とを含むコメント情報を受信し、
前記第１の記憶部を参照して、受信したコメント情報に含まれる共有者の識別情報に関連付けられた共有グループを特定し、
特定した共有グループの識別情報に関連付けて、受信したコメント情報および当該コメント情報を受信した日時に関する情報を第２の記憶部に記憶する、処理を実行させ、
前記生成する処理は、
前記共有者の端末装置および前記学習対象者の端末装置において、前記共有者の端末装置から送信されたコメント情報に含まれるコメントに関する情報を、経時順に配列したトーク画面を表示させる画面情報を生成することを特徴とする請求項１〜３のいずれか一つに記載の学習賛助プログラム。
【請求項５】
前記コンピュータに、
前記学習対象者の端末装置から、前記学習対象者の識別情報と前記学習対象者の端末装置において入力されたコメントに関する情報とを含むコメント情報を受信し、
前記第１の記憶部を参照して、受信したコメント情報に含まれる学習対象者の識別情報に関連付けられた共有グループを特定し、
特定した共有グループの識別情報に関連付けて、受信したコメント情報および当該コメント情報を受信した日時に関する情報を第２の記憶部に記憶する、処理を実行させ、
前記生成する処理は、
前記共有者の端末装置および前記学習対象者の端末装置において、前記学習対象者の端末装置から送信されたコメント情報に含まれるコメントに関する情報を、経時順に配列したトーク画面を表示させる画面情報を生成することを特徴とする請求項１〜４のいずれか一つに記載の学習賛助プログラム。
【発明の詳細な説明】
【技術分野】
【０００１】
この発明は、小学児童などの学習対象者の自立した学習を賛助する学習賛助プログラムに関する。
【背景技術】
【０００２】
通信教育においては、教師や講師などに直接指導を受けるのではなく、郵便や通信などを利用して間接的に教育を受けることができる。このような通信教育においては、従来、各種の方法が用いられており、たとえば、紙ベースの通信添削型教材を用いて学習をおこなう方法があった。
【０００３】
また、従来、たとえば、学習者が学習中に入力した質問文やコメント文を学習履歴として記録し、或るユーザが学習中に質問文やコメント文を入力した場合に、別のユーザが過去に学習教材に基づき学習を行った際に記録された学習履歴から、入力された質問文に類似する質問文やコメント文を検索し、検索した質問文やコメント文を、質問文やコメント文を入力したユーザに対応する端末装置に表示させるようにした技術があった（たとえば、下記特許文献１を参照。）。
【０００４】
また、従来、たとえば、管理センターが、学校から学習支援を受ける生徒に対してサーバーを介して教材を提供し、提供した教材に対する生徒の解答を受け付け、生徒から受け付けた解答を当該生徒が属する学校（担当講師）に送信し、学校（担当講師）の添削結果を受け付け、添削結果を生徒や生徒の保護者に通知するようにした技術があった（たとえば、下記特許文献２を参照。）。
【先行技術文献】
【特許文献】
【０００５】
【特許文献１】特開２００３−２９５７４８号公報
【特許文献２】特開２００４−６２０７１号公報
【発明の概要】
【発明が解決しようとする課題】
【０００６】
しかしながら、上述した従来の技術は、学習対象者の学習は学習対象者のみで完結するため、親などの学習対象者以外の者は、意識して学習対象者とコミュニケーションをとって学習結果を確認するなどしなければ、学習対象者の学習内容や進捗状況が分かりづらいという問題があった。このため、上述した従来の技術は、学習における小さなつまづきや苦手な分野があることに気づきにくく、学習対象者の学習を親などが効果的に支援することが難しいという問題があった。
【０００７】
上述した従来の技術は、学習対象者と学習対象者以外の者とが直接コミュニケーションをとらなくても、たとえば、紙ベースの教材を用いる学習の場合は当該教材への書き込みをおこなっていない間、端末装置を用いた学習の場合は当該端末装置を使用していない間などのように、学習対象者が学習をおこなっていない間に、学習内容や当該学習の進捗状況を確認することができるが、このように親などが学習対象者とコミュニケーションをとらずに教材のみを確認することによって学習内容や進捗状況を一方的に確認する場合、学習における小さなつまづきや苦手な分野があることに気づきにくく、学習対象者の学習を親などが効果的に支援することが難しいという問題があった。
【０００８】
この発明は、上述した従来技術による問題点を解消するため、学習対象者の学習を効果的に支援することができる学習賛助プログラムを提供することを目的とする。
【０００９】
また、この発明は、上述した従来技術による問題点を解消するため、学習対象者と共有者との間における円滑なコミュニケーションを支援することにより、学習対象者の学習を効果的に支援することができる学習賛助プログラムを提供することを目的とする。
【課題を解決するための手段】
【００１０】
上述した課題を解決し、目的を達成するため、この発明にかかる学習賛助プログラムは、コンピュータに、学習対象者の端末装置から、当該学習対象者の識別情報と当該学習対象者の端末装置を用いた学習内容に関する情報とを含む報告情報を受信し、前記学習対象者の識別情報と前記報告情報を共有する共有グループの識別情報と当該共有グループに属する共有者の識別情報とを関連付けて記憶する第１の記憶部を参照して、受信した報告情報に含まれる学習対象者の識別情報に関連付けられた共有グループを特定し、特定した共有グループの識別情報に関連付けて、受信した報告情報および当該報告情報を受信した日時に関する情報を第２の記憶部に記憶し、前記共有者の端末装置または前記学習対象者の端末装置から、前記共有者の識別情報または前記学習対象者の識別情報を含む閲覧要求を受信し、前記第１の記憶部を参照して、受信した閲覧要求に含まれる共有者の識別情報または学習対象者の識別情報に関連付けられた共有グループを特定し、前記第２の記憶部を参照して、前記閲覧要求に基づいて特定した共有グループの識別情報に関連付けられた報告情報を抽出し、抽出した報告情報に基づいて、前記学習内容に関する情報を経時順に配列したトーク画面を前記共有者の端末装置および前記学習対象者の端末装置に表示させる画面情報を生成し、生成した画面情報を、前記閲覧要求に基づいて特定した共有グループに属する共有者の端末装置、および、当該共有グループに属する学習対象者の端末装置に送信する、処理を実行させることを特徴とする。
【００１１】
また、この発明にかかる学習賛助プログラムは、上記の発明において、前記生成する処理が、前記学習内容に関する情報を経時順に配列するとともに当該学習内容に対するコメントを入力させる操作キーを配列したトーク画面を前記共有者の端末装置に表示させる共有者用の画面情報と、前記学習内容に関する情報を経時順に配列したトーク画面を前記学習対象者の端末装置に表示させる学習対象者用の画面情報と、を生成し、前記送信する処理が、生成した共有者用の画面情報を前記共有者の端末装置に送信するとともに、生成した学習対象者用の画面情報を前記学習対象者の端末装置に送信し、さらに、前記コンピュータに、前記共有者の端末装置から、前記共有者の識別情報と前記共有者の端末装置に表示された操作キーの操作にともなって入力された学習内容に対するコメントに関する情報と当該コメントに対応する報告情報を指定する指定情報とを含むコメント情報を受信し、前記第１の記憶部を参照して、受信したコメント情報に含まれる共有者の識別情報に関連付けられた共有グループを特定し、特定した共有グループの識別情報に関連付けて、受信したコメント情報、当該コメント情報を受信した日時に関する情報および前記指定情報を第２の記憶部に記憶し、前記第２の記憶部を参照して、前記特定情報を含むコメント情報に含まれる前記コメントに関する情報を、当該特定情報によって特定される報告情報の表示枠内または特定した報告情報の近傍に配列したトーク画面を表示させる学習対象者用の画面情報を生成することを特徴とする。
【００１２】
また、この発明にかかる学習賛助プログラムは、上記の発明において、前記生成する処理が、前記学習内容と同じまたは当該学習内容に類する問題を、抽出した報告情報の表示枠内または特定した報告情報の近傍に配列したトーク画面を表示させる共有者用の画面情報を生成することを特徴とする。
【００１３】
また、この発明にかかる学習賛助プログラムは、上記の発明において、前記コンピュータに、前記共有者の端末装置から、前記共有者の識別情報と前記共有者の端末装置において入力されたコメントに関する情報とを含むコメント情報を受信し、前記第１の記憶部を参照して、受信したコメント情報に含まれる共有者の識別情報に関連付けられた共有グループを特定し、特定した共有グループの識別情報に関連付けて、受信したコメント情報および当該コメント情報を受信した日時に関する情報を第２の記憶部に記憶する、処理を実行させ、前記生成する処理が、前記共有者の端末装置および前記学習対象者の端末装置において、前記共有者の端末装置から送信されたコメント情報に含まれるコメントに関する情報を、経時順に配列したトーク画面を表示させる画面情報を生成することを特徴とする。
【００１４】
また、この発明にかかる学習賛助プログラムは、上記の発明において、前記コンピュータに、前記学習対象者の端末装置から、前記学習対象者の識別情報と前記学習対象者の端末装置において入力されたコメントに関する情報とを含むコメント情報を受信し、前記第１の記憶部を参照して、受信したコメント情報に含まれる学習対象者の識別情報に関連付けられた共有グループを特定し、特定した共有グループの識別情報に関連付けて、受信したコメント情報および当該コメント情報を受信した日時に関する情報を第２の記憶部に記憶する、処理を実行させ、前記生成する処理が、前記共有者の端末装置および前記学習対象者の端末装置において、前記学習対象者の端末装置から送信されたコメント情報に含まれるコメントに関する情報を、経時順に配列したトーク画面を表示させる画面情報を生成することを特徴とする。
【発明の効果】
【００１５】
この発明にかかる学習賛助プログラムによれば、学習対象者の学習を効果的に支援することができるという効果を奏する。
【００１６】
また、この発明にかかる学習賛助プログラムによれば、学習対象者と共有者との間における円滑なコミュニケーションを支援することにより、学習対象者の学習を効果的に支援することができるという効果を奏する。
【図面の簡単な説明】
【００１７】
【図１】この発明にかかる実施の形態の通信教育システムのシステム構成を示す説明図である。
【図２−１】サーバを実現するコンピュータ装置のハードウエア構成の一例を示す説明図である。
【図２−２】操作端末を実現するコンピュータ装置のハードウエア構成の一例を示す説明図である。
【図２−３】携帯型情報端末装置のハードウエア構成を示すブロック図である。
【図３−１】加入者データベースの一例を示す説明図である。
【図３−２】教材データベースの一例を示す説明図である。
【図３−３】学習履歴データベースの一例を示す説明図である。
【図３−４】受信情報データベースの一例を示す説明図である。
【図４−１】操作端末が表示する各種の表示画面を示す説明図（その１）である。
【図４−２】操作端末が表示する各種の表示画面を示す説明図（その２）である。
【図４−３】操作端末が表示する各種の表示画面を示す説明図（その３）である。
【図４−４】操作端末が表示する各種の表示画面を示す説明図（その４）である。
【図４−５】操作端末が表示する各種の表示画面を示す説明図（その５）である。
【図４−６】操作端末が表示する各種の表示画面を示す説明図（その６）である。
【図５−１】端末装置が表示する各種の表示画面を示す説明図（その１）である。
【図５−２】端末装置が表示する各種の表示画面を示す説明図（その２）である。
【図５−３】端末装置が表示する各種の表示画面を示す説明図（その３）である。
【図５−４】端末装置が表示する各種の表示画面を示す説明図（その４）である。
【図５−５】端末装置が表示する各種の表示画面を示す説明図（その５）である。
【図５−６】端末装置が表示する各種の表示画面を示す説明図（その６）である。
【図５−７】端末装置が表示する各種の表示画面を示す説明図（その７）である。
【図６】この発明にかかる実施の形態の通信教育システムにおけるサーバの機能的構成を示す説明図である。
【図７】サーバの処理手順を示すフローチャート（その１）である。
【図８】サーバの処理手順を示すフローチャート（その２）である。
【発明を実施するための形態】
【００１８】
以下に添付図面を参照して、この発明にかかる学習賛助プログラムの好適な実施の形態を詳細に説明する。
【００１９】
（通信教育システムのシステム構成）
まず、この発明にかかる実施の形態の通信教育システムのシステム構成について説明する。図１は、この発明にかかる実施の形態の通信教育システムのシステム構成を示す説明図である。
【００２０】
図１において、この発明にかかる実施の形態の通信教育システム１００は、サーバ１１０と、複数の操作端末（学習支援装置）１２０と、親などの共有者の端末装置１３０と、によって構成される。サーバ１１０と各操作端末１２０、および、サーバ１１０と親の端末装置１３０とは、インターネットなどのネットワーク１４０を介して、相互に通信可能に接続されている。サーバ１１０と各操作端末１２０とは、たとえば、Ｗｉ−Ｆｉなどによって相互接続性が保証されている。
【００２１】
サーバ１１０は、この発明にかかる実施の形態の通信教育システム１００の運用者（管理者）などによって管理される。サーバ１１０は、たとえば、パーソナルコンピュータなどの汎用的なコンピュータ装置によって実現することができる（図２−１を参照）。操作端末１２０は、たとえば、タブレットコンピュータやタブレット端末などと称される、ディスプレイとタッチパネルとを備えた可搬性のコンピュータ装置（携帯端末装置）によって実現することができる（図２−２を参照）。操作端末１２０は、通信教育システム１００の運用に際し、当該通信教育システム１００の加入者であって学習対象者である子供（児童）などに対して、あらかじめ配布しておく。
【００２２】
端末装置１３０は、たとえば、親などの共有者が個人で所有し、スマートフォン、携帯型電話機、ＰＨＳ（Ｐｅｒｓｏｎａｌ  Ｈａｎｄｙ−ｐｈｏｎｅ  Ｓｙｓｔｅｍ）などの良好な携帯性を備えた携帯型通信機器によって実現することができる（図２−３を参照）。端末装置１３０は、たとえば、親などの共有者が個人で所有し、インターネットに接続されたパーソナルコンピュータなどのコンピュータ装置によって実現してもよい。端末装置１３０を実現するパーソナルコンピュータなどのコンピュータ装置については、公知の技術であるため説明を省略する。
【００２３】
（サーバ１１０のハードウエア構成）
図２−１は、サーバ１１０を実現するコンピュータ装置のハードウエア構成の一例を示す説明図である。図２−１において、サーバ１１０を実現するコンピュータ装置は、ＣＰＵ２１１と、ＲＯＭ２１２と、ＲＡＭ２１３と、ＨＤＤ２１４と、ＨＤ２１５と、ネットワークインターフェース（Ｉ／Ｆ）２１６と、を備えている。また、この発明にかかる実施の形態の通信教育システム１００においてサーバ１１０を実現するコンピュータ装置が備える各部２１１〜２１６は、バス２１０によってそれぞれ接続されている。
【００２４】
ＣＰＵ２１１は、サーバ１１０を実現するコンピュータ装置全体の制御をつかさどる。ＲＯＭ２１２は、ブートプログラムなどのプログラムを記憶している。ＲＡＭ２１３は、ＣＰＵ２１１のワークエリアとして使用される。ＨＤＤ２１４は、ＣＰＵ２１１の制御にしたがってＨＤ２１５に対するデータのリード／ライトを制御する。ＨＤ２１５は、ＨＤＤ２１４の制御で書き込まれたデータを記憶する。ＨＤ２１５は、たとえば、加入者データベース（図３−１を参照）、教材データベース（図３−２を参照）、学習履歴データベース（図３−３を参照）、受信情報データベース（図３−４を参照）などの各種のデータベースを記憶する。
【００２５】
ネットワークＩ／Ｆ２１６は、インターネットなどのネットワーク１４０に接続され、当該ネットワーク１４０を介して、操作端末１２０などの外部装置に接続される。そして、ネットワークＩ／Ｆ２１６は、ネットワーク１４０とサーバ１１０を実現するコンピュータ装置の内部とのインターフェースをつかさどり、サーバ１１０を実現するコンピュータ装置と外部装置との間におけるデータの入出力を制御する。
【００２６】
（操作端末１２０のハードウエア構成）
図２−２は、操作端末１２０を実現するコンピュータ装置のハードウエア構成の一例を示す説明図である。図２−２において、操作端末１２０を実現するコンピュータ装置は、ＣＰＵ２２１と、ＲＯＭ２２２と、ＲＡＭ２２３と、メモリ２２４と、ネットワークＩ／Ｆ２２５と、タイマ２２６と、ディスプレイ２２７と、タッチパネル２２８と、マイク２２９と、スピーカー２３０と、カメラ２３１と、電源スイッチ２３２と、を備えている。また、この発明にかかる実施の形態の通信教育システム１００において操作端末１２０を実現するコンピュータ装置が備える各部２２１〜２３２は、バス２２０によってそれぞれ接続されている。
【００２７】
ＣＰＵ２２１は、操作端末１２０全体の制御をつかさどる。ＲＯＭ２２２は、ブートプログラムなどのプログラムを記憶している。ＲＡＭ２２３は、ＣＰＵ２２１のワークエリアとして使用される。メモリ２２４は、フラッシュメモリなどによって実現することができる。ネットワークＩ／Ｆ２２５は、インターネットなどのネットワーク１４０を介して、当該ネットワーク１４０に接続されたサーバ１１０などの外部装置との間におけるデータの入出力を制御する。タイマ２２６は、現在日時や経過時間を計測する。
【００２８】
ディスプレイ２２７は、たとえば、操作端末１２０が実行可能なメニューを示すアイコンなどを表示する。ディスプレイ２２７は、たとえば、主に液晶ディスプレイや有機ＥＬ（Ｅｌｅｃｔｒｏ−Ｌｕｍｉｎｅｓｃｅｎｃｅ）ディスプレイなどによって実現することができる。タッチパネル２２８は、ディスプレイ２２７に積層され、操作位置に応じた信号をＣＰＵ２２１に対して出力する。タッチパネル２２８は、たとえば抵抗膜方式や静電容量方式、音響パルス認識方式、超音波表面弾性波方式、赤外遮光方式、画像認識方式など公知の各種の方式のものを用いることができる。
【００２９】
マイク２２９は、アナログデータとして入力された話者の声をアナログ／デジタル変換し、デジタル形式の音声データを生成する。スピーカー２３０は、たとえば、音読メニューの実行時に、デジタル形式の音声データをデジタル／アナログ変換し、アナログ形式の音声データに基づいてスピーカーコーンにおけるコイルに通電するなどして音声を出力する。カメラ２３１は、タッチパネル２２８の操作によって撮像対象を撮像し、画像データを生成する。生成された画像データは、ＲＡＭ２２３などに記憶される。ネットワークＩ／Ｆ２２５は、インターネットなどのネットワーク１４０に接続され、当該ネットワーク１４０と利用者の端末装置１２０を実現するスマートフォンの内部とのインターフェースをつかさどる。
【００３０】
電源スイッチ２３２は、図示を省略する電源から操作端末１２０の各部までの電力供給にかかるＯＮ／ＯＦＦの切り換えをおこなう。電源スイッチ２３２は、図示を省略する電源から操作端末１２０の各部に至る電力路における、もっとも電源側（最上流側）において、電力供給にかかるＯＮ／ＯＦＦの切り換えをおこなう。電源スイッチ２３２は、受け付けた操作に応じて、ＣＰＵ２２１に対してＯＮ／ＯＦＦ信号を出力する。電源スイッチ２３２は、電源路の最上流側において、電源による電力の供給を停止したり解除したりすることによって電力供給にかかるＯＮ／ＯＦＦの切り換えをおこなうものであってもよい。
【００３１】
（携帯型情報端末装置のハードウエア構成）
つぎに、携帯型情報端末装置のハードウエア構成について説明する。図２−３は、携帯型情報端末装置のハードウエア構成を示すブロック図である。図２−３においては、端末装置１３０を実現する携帯型情報端末装置として、スマートフォンやタブレット型コンピュータのハードウエア構成を示している。
【００３２】
図２−３において、携帯型情報端末装置を実現するスマートフォンは、ＣＰＵ２４１と、ＲＯＭ２４２と、ＲＡＭ２４３と、通信Ｉ／Ｆ２４４と、ディスプレイ２４５と、操作部２４６と、マイク２４７と、スピーカー２４８と、カメラ２４９と、を備えている。また、この発明にかかる実施の形態の通信教育システム１００を構成する端末装置１３０を実現するスマートフォンが備える各構成部２４１〜２４９は、バス２４０によってそれぞれ接続されている。
【００３３】
ＣＰＵ２４１は、スマートフォン全体の制御をつかさどる。また、ＣＰＵ２４１は、日時を計時するタイマ機能を備えていてもよい。ＲＯＭ２４２は、ブートプログラムなどのプログラムを記憶している。ＲＡＭ２４３は、ＣＰＵ２４１のワークエリアとして使用される。通信Ｉ／Ｆ２４４は、インターネットなどのネットワーク１４０を介して、当該ネットワーク１４０に接続されたサーバ１１０を含む他のコンピュータ装置や別のスマートフォンとの間におけるデータの入出力を制御する。また、通信Ｉ／Ｆ２４４は、電話回線網に接続されており、別のスマートフォン（あるいは携帯型電話機やＰＨＳ）などの通信端末装置や、固定型電話機との間における音声による通話を実現する。
【００３４】
ディスプレイ２４５は、たとえば、スマートフォンを携帯型電話機（あるいはＰＨＳ）として利用する場合における設定中のモード（マナーモードやドライブモードなど）や電波の受信状態を示す各種のマーク、アイコンあるいはツールボックスなどを表示する。ディスプレイ２４５は、たとえば、主に液晶ディスプレイや有機ＥＬディスプレイなどによって実現することができる。
【００３５】
操作部２４６は、文字、数値、各種指示などの入力のためのキーを備え、データ入力をおこなう。操作部２４６は、たとえば、タッチパネルやキーボードなどによって実現することができる。タッチパネルやキーボードなどによって実現される操作部２４６は、当該操作部２４６に対する入力操作に応じた信号をＣＰＵ２４１に対して出力する。操作部２４６をタッチパネルによって実現する場合、当該タッチパネルは、ディスプレイ２４５の表示面側に積層される。
【００３６】
マイク２４７は、アナログデータとして入力された話者の声をアナログ／デジタル変換し、デジタル形式の音声データを生成する。スピーカー２４８は、通話相手側から送信されたデジタル形式の音声データをデジタル／アナログ変換し、アナログ形式の音声データに基づいてスピーカーコーンにおけるコイルに通電するなどして音声を出力する。カメラ２４９は、操作部２４６の操作によって撮像対象を撮像し、画像データを生成する。生成された画像データは、ＲＡＭ２４３などに記憶される。通信Ｉ／Ｆ２４４は、インターネットなどのネットワーク１４０に接続され、当該ネットワーク１４０と端末装置１３０を実現するスマートフォンの内部とのインターフェースをつかさどる。
【００３７】
（データベース）
つぎに、通信教育システム１００が備える各種のデータベースについて説明する。通信教育システム１００は、加入者データベース（図３−１を参照）、教材データベース（図３−２を参照）、学習履歴データベース（図３−３を参照）、受信情報データベース（図３−４を参照）などの各種のデータベースを備える。通信教育システム１００が備える各種のデータベースは、たとえば、サーバ１１０を実現するコンピュータ装置が備えるＨＤ２１５に設けることができる。
【００３８】
通信教育システム１００が備える各種のデータベースは、サーバ１１０を実現するコンピュータ装置が備えるＨＤ２１５に限らず、たとえば、サーバ１１０を実現するコンピュータ装置とは別のコンピュータ装置や記憶装置が備えていてもよい。また、通信教育システム１００が備える各種のデータベースは、同一のコンピュータ装置あるいは記憶装置が備えるものに限らず、それぞれ別のコンピュータ装置あるいは記憶装置が備えていてもよく、一部のデータベースを別のコンピュータ装置あるいは記憶装置が備えていてもよい。
【００３９】
（加入者データベース）
図３−１は、加入者データベースの一例を示す説明図である。図３−１において、加入者データベース３１０は、学習対象者に関する情報を記憶する。学習対象者に関する情報は、学習対象者の識別情報を含んでいる。学習対象者の識別情報は、学習対象者ごとに固有の情報であって、たとえば、任意の桁数のアルファベットや数字などの文字列によって構成される会員番号などによって実現することができる。学習対象者に関する情報は、当該学習対象者の氏名（会員氏名）、学年、生年月日、通信教育システム１００により実現されるサービスへの加入日（入会日）あるいは加入月（入会月）に関する情報を含む。
【００４０】
また、学習対象者に関する情報は、当該学習対象者の操作端末１２０の識別情報を含んでいてもよい。操作端末１２０の識別情報は、各操作端末１２０に固有の情報であって、たとえば、操作端末１２０の製造番号などによって実現することができる。操作端末１２０の識別情報によって上記の学習対象者の識別情報を実現してもよい。学習対象者に関する情報は、学習対象者の通う学校名や当該学校を含む学区に関する情報を含んでいてもよい。これにより、学習対象者の学校における修学内容にあわせた学習コンテンツを提供することが可能になる。
【００４１】
加入者データベース３１０において、学習対象者に関する情報は、各操作端末１２０からサーバ１１０に対して送信される報告情報を共有する共有グループの識別情報に関連付けて記憶されている。報告情報は、操作端末１２０を用いて学習をおこなった学習対象者の識別情報と、学習内容に関する情報とを含む。
【００４２】
共有グループは、たとえば、学習対象者と、当該学習対象者の家族（親、祖父母、兄弟姉妹など）などの共有者と、によって構成される。共有グループの識別情報は、共有グループごとに固有の情報であって、たとえば、任意の桁数のアルファベットや数字などの文字列によって構成される会員番号などによって実現することができる。
【００４３】
また、加入者データベース３１０は、共有グループに属する共有者に関する情報を記憶する。加入者データベース３１０において、共有者に関する情報は、共有グループの識別情報に関連付けて記憶されている。加入者データベース３１０においては、学習対象者の識別情報と、共有グループの識別情報と、当該共有グループに属する共有者の識別情報とが関連付けて記憶されている。
【００４４】
共有者に関する情報は、各共有者の識別情報を含んでいる。共有者の識別情報は、共有者ごとに固有の情報であって、たとえば、任意の桁数のアルファベットや数字などの文字列によって実現することができる。共有者に関する情報は、共有者の端末装置１３０の識別情報を含んでいてもよい。共有者の端末装置１３０の識別情報は、たとえば、共有者の端末装置１３０に割り当てられた電子メールアドレスや共有者の端末装置１３０の製造番号などによって実現することができる。共有者の端末装置１３０の識別情報によって、共有者の識別情報を実現してもよい。
【００４５】
また、共有者に関する情報は、共有グループに属する共有者の、トーク画面における表示名に関する情報を記憶する。表示名に関する情報は、トーク画面に表示されるメッセージやコメントの入力者を識別可能な情報であって、具体的には、たとえば、「おとうさん」、「おかあさん」などの文字列をあらわすテキスト情報によって実現することができる。表示名に関する情報は、メッセージやコメントの入力者が指定した写真などの画像であってもよい。
【００４６】
通信教育システム１００の運用上、共有者は、たとえば、学習対象者の家族や血縁者など所定の条件に該当する者によって実現することができる。共有者を規定する所定の条件は、血縁者に限るものではなく、たとえば、各共有グループに既に属している共有者の承認を得た者を共有者とする条件を設定してもよい。これにより、友人や学校の教師その他血縁関係のない者を共有者とし、当該共有者に関する情報を加入者データベース３１０に記憶することができる。加入者データベース３１０における各情報は、たとえば、学習対象者が通信教育システム１００が提供するサービスに加入したときに、当該通信教育システム１００の管理者などによって適宜設定することができる。
【００４７】
（教材データベース）
図３−２は、教材データベースの一例を示す説明図である。図３−２において、教材データベース３２０は、教科ごとに、学習コンテンツを記憶する。図３−２においては、算数の教材データベース３２０を例示している。教材データベース３２０において、教科ごとに分類された学習コンテンツは、さらに、学習対象者の階層ごとに分類して記憶されている。学習対象者の階層は、たとえば、学習対象者の学年（級または年齢でもよい）によって実現することができる。
【００４８】
教材データベース３２０において、学習対象者の学年によって分類された学習コンテンツは、さらに、講座ごとに分類して記憶されている。講座は、単元などに基づいて分けられ、学習内容の区分として一定のまとまりを有する。講座は、基本的に単元と同一であり、同一単元における学習量が多く、同一単元の学習コンテンツを一つにまとめると当該学習コンテンツの再生時間が極端に長くなる学習内容の場合に、同じ単元に対して複数設定してもよい。
【００４９】
また、教材データベース３２０は、学習コンテンツにおける、単元（講座）に関する情報と、当該単元（講座）ごとのテーマと、当該単元（講座）における学習内容に関する情報と、を関連付けて記憶する。また、教材データベース３２０は、単元（講座）ごとに、各学習コンテンツの履修学年に関する情報を関連付けて記憶する。履修学年は、各学習コンテンツの内容の学習を学校において履修する学年を示す。
【００５０】
単元（講座）ごとに分けられた各学習コンテンツは、操作端末１２０にインストールされている講座再生アプリケーションを用いて再生可能なフォーマットであって、文字（テキスト）、静止画、音声などの各種のデータによって構成されている。各学習コンテンツは、映像（動画）データを含んでいてもよい。
【００５１】
具体的に、この発明にかかる実施の形態の各学習コンテンツは、たとえば、「ワーク」コンテンツおよび「問題・解答」コンテンツによって構成することができる。ワークは、子供が各学習コンテンツにおいて学習する内容に対する理解を深めることを目的として設けられている。「ワーク」コンテンツは、各学習コンテンツにおいて学習する内容を解説するテキストデータやイメージデータによって実現することができる。問題および解答は、各学習コンテンツにおいて学習する内容に関する問題、および、当該問題の解答であって、「問題・解答」コンテンツはワークが解説する内容に該当する問題および解答を示すテキストデータやイメージデータによって実現することができる。
【００５２】
各単元（講座）の学習は、操作端末１２０にインストールされている講座再生アプリケーションを用いて、１つの学習コンテンツの再生が完了した場合に完了する。１つの学習コンテンツの１回あたりの再生時間は、子供の集中力などを考慮し、サービス提供者などが事前に設定することができる。具体的には、各学習コンテンツは、１回あたりの再生時間が２０分程度になるように構成されていることが好ましい。各学習コンテンツの１回あたりの再生時間を、子供の集中力を考慮した長さ（たとえば、２０分程度）に設定することにより、子供が学習中に飽きさせることなく、講座ごとの学習を確実におこなわせることができる。
【００５３】
また、教材データベース３２０は、問題を解くことを中心とする演習問題の学習コンテンツを記憶する。具体的には、演習問題の学習コンテンツは、たとえば、漢字の読み書きなどを問う「漢検ドリル」や、計算力を問う「計算ドリル」などによって実現することができる。演習問題の学習コンテンツは、ワークを含まず、問題および当該問題の解答によって構成することができる。
【００５４】
（学習履歴データベース）
図３−３は、学習履歴データベースの一例を示す説明図である。図３−３において、学習履歴データベース３３０は、学習対象者の識別情報ごとに、学習履歴報告情報を記憶する。学習履歴データベース３３０は、具体的には、たとえば、学習対象者の識別情報ごとに、学習履歴報告情報を記憶する。学習履歴報告情報は、学習対象者の識別情報によって識別される学習対象者の所定期間における学習の履歴に関する情報であって、たとえば、学習日時、学習内容、学習の成績などに関する情報を含む。学習履歴報告情報は、操作端末１２０から送信される報告情報に基づいて生成され、学習履歴データベース３３０に記憶される。
【００５５】
学習履歴データベース３３０は、所定期間として、たとえば、通信教育システム１００のサービスに加入してから現在までの学習履歴報告情報を記憶する。また、学習履歴データベース３３０は、所定期間として、たとえば、学習対象者の学年のはじめの月（たとえば４月）から現在までの学習履歴報告情報を記憶してもよい。この場合、具体的には、たとえば、現在小学４年であって、小学３年の１０月に加入した学習対象者であれば、小学４年時の学習内容にかかる学習履歴報告情報を記憶することができる。
【００５６】
学習履歴報告情報は、たとえば、教科ごとの、各日において学習した講座（再生した学習コンテンツ）、および当該講座の成績などに関する情報を含む。また、学習履歴報告情報は、たとえば、教科ごとの進捗状況などに関する情報を含んでいてもよい。また、学習履歴報告情報は、たとえば、学習していない講座（ダウンロード済みであって再生していない学習コンテンツ）に関する情報を含んでいてもよい。
【００５７】
（受信情報データベース）
図３−４は、受信情報データベースの一例を示す説明図である。図３−４において、受信情報データベース３４０は、共有グループの識別情報ごとに、操作端末１２０や端末装置１３０から受信した情報に関する情報を記憶する。受信情報データベース３４０は、操作端末１２０や端末装置１３０から受信した情報に、当該情報の発信元に関する情報と、当該情報を特定する特定情報と、当該情報を受信した日時に関する情報と、を関連付けて記憶する。
【００５８】
発信元に関する情報は、たとえば、該当する情報の送信元となる端末装置１３０を使用する共有者の識別情報や、該当する情報の送信元となる操作端末１２０を用いて学習をおこなう学習対象者の識別情報によって実現することができる。特定情報は、操作端末１２０や端末装置１３０から受信した各情報を特定可能な情報であって、たとえば、サーバ１１０が操作端末１２０や端末装置１３０から情報を受信した順序を示す一連の通し番号によって実現することができる。サーバ１１０は、特定情報に基づいて、操作端末１２０や端末装置１３０から受信した情報を特定することができる。
【００５９】
サーバ１１０は、たとえば、当該操作端末１２０を用いて学習をおこなった学習対象者の識別情報と、当該操作端末１２０を用いておこなった学習内容に関する情報と、を含む報告情報を操作端末１２０から受信する。学習内容に関する情報は、たとえば、学習日時（学習コンテンツを再生した日時）、学習した講座のタイトル、学習の成績などを含む。サーバ１１０は、操作端末１２０から報告情報を受信すると特定情報を生成し、学習内容に関する情報を、受信した情報の内容に関する情報として、生成した特定情報に関連付けて受信情報データベース３４０に記憶する。
【００６０】
また、サーバ１１０は、たとえば、学習対象者の識別情報と、当該学習対象者が操作端末１２０において入力したコメントに関する情報とを含むコメント情報を、操作端末１２０から受信する。また、サーバ１１０は、たとえば、共有者の識別情報と、当該共有者が端末装置１３０において入力したコメントに関する情報とを含むコメント情報を、端末装置１３０から受信する。操作端末１２０や端末装置１３０において入力したコメントに関する情報は、たとえば、任意のテキストデータや、カメラ２３１、２４９を用いて撮像した画像や当該画像に書き込んだコメントなどを含む。サーバ１１０は、操作端末１２０や端末装置１３０からコメント情報を受信すると特定情報を生成し、受信したコメント情報に含まれるコメントに関する情報を、受信した情報の内容に関する情報として、生成した特定情報に関連付けて受信情報データベース３４０に記憶する。
【００６１】
また、サーバ１１０は、たとえば、共有者の識別情報と、共有者の端末装置１３０に表示された操作キー（図５−１における符号５０１ｅを参照）の操作にともなって入力された学習内容に対するコメントに関する情報と、当該コメントに対応する報告情報を指定する指定情報と、を含むコメント情報を、端末装置１３０から受信する。指定情報は、該当する報告情報に関連付けられた特定情報であって、特定情報によって実現される指定情報を含むコメント情報を受信することによって、いずれの学習内容に対するコメントであるかを特定することができる。サーバ１１０は、端末装置１３０から指定情報を含むコメント情報を受信すると特定情報を生成し、受信したコメント情報に含まれるコメントに関する情報を、受信した情報の内容に関する情報として、受信したコメント情報に含まれる指定情報とともに、生成した特定情報に関連付けて受信情報データベース３４０に記憶する。
【００６２】
通信教育システム１００は、図示を省略するゲームデータベースを備える。ゲームデータベースは、たとえば、操作端末１２０を実現するコンピュータ装置が備えるメモリ２２４に設けることができる。ゲームデータベースは、操作端末１２０において実行可能な複数のゲームアプリケーションを記憶する。ゲームデータベースは、ゲームアプリケーションを学年ごとに分類して記憶してもよい。これにより、学習対象者の学年（年齢）に適した内容のゲームアプリケーションを案内することができる。これにより、たとえば、小学１年の学習対象者に難易度の高いゲームが提供されることにより、当該学習対象者がゲームで遊ぶことに対する興味をなくし、学習意欲が低下することを防止できる。
【００６３】
また、ゲームデータベースは、ゲームアプリケーションごとに、操作端末１２０においてゲームアプリケーションを実行するために必要なポイント（スター）の数を記憶してもよい。操作端末１２０においてゲームアプリケーションを実行するために必要なポイント（スター）の数は、ゲームアプリケーションごとに異ならせてもよく、すべてのゲームアプリケーションにおいて同じ数であってもよい。ポイント（スター）は、学習コンテンツを再生することによって学習対象者が学習した場合に発行される。この実施の形態において、発行するポイント（スター）の数は、たとえば、学習内容や成績に応じて適宜設定することができる。スター発行のルールについては説明を後述する。
【００６４】
（通信教育システム１００の概要）
つぎに、この発明にかかる実施の形態の通信教育システム１００の概要について説明する。この発明にかかる実施の形態の通信教育システム１００において、操作端末１２０は、電源スイッチ２３２が操作された場合に起動する。操作端末１２０は、起動すると、あらかじめインストールされているプログラムを実行することにより、まずサーバ１１０との間で通信をおこない、サーバ１１０に対して起動通知を送信する。起動通知は、操作端末１２０の識別情報を含む。起動通知は、受信情報データベース３４０の閲覧を要求する閲覧要求を含む。
【００６５】
サーバ１１０は、起動通知（閲覧要求）を受信すると、加入者データベース３１０、教材データベース３２０、学習履歴データベース３３０などを参照して、当該起動通知の送信元となる操作端末１２０に対して、当該操作端末１２０にダウンロードされていない学習コンテンツをダウンロードする。操作端末１２０は、たとえば、１ヶ月分などの所定期間単位で学習コンテンツをダウンロードすることができる。
【００６６】
操作端末１２０は、各月におけるはじめての起動時に、該当する学年および該当する月の学習コンテンツをまとめてダウンロードする。操作端末１２０は、起動時にサーバ１１０の教材データベース３２０を参照して学習コンテンツの更新チェックをおこない、月ごとの２回目以降の起動に際しても、該当する学年および該当する月の学習コンテンツであって操作端末１２０にキャッシュされていない学習コンテンツがある場合は、当該学習コンテンツをダウンロードする。
【００６７】
操作端末１２０は、たとえば、操作端末１２０の起動日を含む月の学習コンテンツのみを記憶する。この場合、各月におけるはじめての起動に際しては、操作端末１２０の起動日を含む月の前月以前の学習コンテンツを削除し、操作端末１２０の起動日を含む月の学習コンテンツのみを記憶する。この発明にかかる実施の形態の通信教育システム１００においては、加入月以降から起動日を含む月までの学習コンテンツであれば、起動日を含む月以外の月であっても、また、削除した学習コンテンツであっても、複数回ダウンロードすることができる。
【００６８】
操作端末１２０は、サーバ１１０からダウンロードした学習コンテンツの再生が指示された場合に、該当する学習コンテンツを再生する。操作端末１２０は、再生する学習コンテンツに含まれる問題の再生に際しては、再生した問題に対する解答の入力を受け付けることができる。学習対象者は、提示された問題の解答を入力する。操作端末１２０は、解答を入力する操作を受け付けた後、答え合わせを実行する操作を受け付けた場合、入力を受け付けた解答の正誤を判定し、判定結果を表示する。
【００６９】
操作端末１２０は、指定された学習コンテンツを最後まで再生した場合に、当該学習コンテンツに含まれる問題に対して入力を受け付けた解答の判定結果に基づいて、学習対象者に対して発行するポイント（スター）を算出する。これにより、１つの学習コンテンツを最後まで再生するごと、すなわち、１つの講座を学習するごとに、学習対象者に対して、当該学習によって獲得したポイント（スター）の数を報知することができる。そして、これにより、１つの講座を学習するごとに、学習対象者に対して達成感を与えることができ、自発的かつ継続して問題に取り組ませることが期待できる。
【００７０】
学習対象者は、所定数以上のポイント（スター）を獲得すると、獲得したスターに応じた特典を享受することができる。特典は、具体的には、たとえば、操作端末１２０を用いておこなうゲームによって実現することができる。操作端末１２０は、たとえば、獲得したポイント（スター）の数に応じて、ゲームをおこなうことができる時間の長さを調整することによって、獲得したスターに応じた特典を享受させることができる。
【００７１】
学習対象者に対して発行されたポイント（スター）は、たとえば、「学習当日限り」などのように有効期限を設けてもよい。このように、学習対象者が獲得したポイント（スター）に有効期限を設けることにより、特典を享受できる時間すなわちゲームで遊ぶことができる時間に制限を設けることができる。これにより、学習対象者が、長時間ゲームに熱中する状況が生じることを抑制できる。
【００７２】
この発明にかかる実施の形態の通信教育システム１００においては、サーバ１１０に対して報告情報を送信することを、特典の享受のための条件としている。報告情報は、たとえば、一日分の学習内容とその成績、および、子供から親への連絡事項を含む。子供から親への連絡事項は、たとえば、任意のテキストデータや、カメラ２３１を用いて撮像した画像や当該画像に書き込んだコメントなどを含むイメージデータによって実現することができる。
【００７３】
操作端末１２０は、報告情報を送信するための操作を受け付けた場合、当日に再生した学習コンテンツおよび当該学習コンテンツの問題に対する成績などの当日分の学習内容などの学習内容に関する情報を含む報告情報を生成し、生成した報告情報をサーバ１１０へ送信する。報告情報は、子供から親への連絡事項を含んでいてもよい。操作端末１２０は、報告情報の送信後、当日獲得したポイント（スター）の数に応じて特典を享受させる。この実施の形態においては、操作端末１２０においてゲームのアプリケーションを起動することによって特典を享受させることができる。
【００７４】
また、この発明にかかる実施の形態の通信教育システム１００において、サーバ１１０は、操作端末１２０から送信された報告情報を受信するごとに、受信した報告情報に基づいて、受信情報データベース３４０を更新する。そして、サーバ１１０は、操作端末１２０から送信された報告情報に基づいて、親向けＷｅｂ画面情報を生成する。親向けＷｅｂ画面情報は、ＷＷＷシステムを使ってインターネット上で公開されている情報であって、通信教育システム１００への加入に際して通知されるパスワードなどを用いてアクセスすることができる。親向けＷｅｂ画面は、学習対象者ごとに、当該学習対象者の学習内容や進捗状況などに関する情報を表示する。親などの共有者は、端末装置１３０を用いてサーバ１１０にアクセスし、親向けＷｅｂ画面を閲覧することができる。
【００７５】
また、サーバ１１０は、操作端末１２０から送信された報告情報や操作端末１２０や端末装置１３０から送信されたコメント情報に基づいて、トーク画面情報を生成する。トーク画面情報は、操作端末１２０や端末装置１３０においてトーク画面（図４−６、図５−１などを参照）を表示させる情報であって、トーク画面は、経時順に配列された学習内容に関する情報を含む。また、トーク画面は、操作端末１２０や端末装置１３０において入力された各種のコメントやメッセージを含む。コメントやメッセージは、たとえば、親などの共有者が入力した任意のテキスト文によって実現することができる。また、コメントやメッセージは、たとえば、あらかじめ設定されている定型のテキスト文の中から親によって選択された任意のテキスト文によって実現してもよい。サーバ１１０は、操作端末１２０や端末装置１３０から送信されたコメント情報を受信するごとに、受信したコメント情報に基づいて、受信情報データベース３４０を更新する。
【００７６】
通信教育システム１００においては、操作端末１２０からサーバ１１０を介して端末装置１３０に送信した学習結果報告情報（親への報告メール）に対して、当該端末装置１３０から応答情報（返信メール）を受信した場合に、学習対象者が特典を享受する（ゲームで遊ぶ）ことができるようにしてもよい。この場合、端末装置１３０は、応答情報（返信メール）に享受する特典の条件に関する情報を含む応答情報を送信する。具体的には、たとえば、当日のゲーム時間の上限（最大実行時間）を、享受する特典の条件とすることができる。これにより、特典を享受できる時間すなわちゲームで遊ぶことができる時間に制限を設けることができる。これにより、学習対象者が、長時間ゲームに熱中する状況が生じることを抑制できる。
【００７７】
（学習の方法）
つぎに、操作端末１２０を用いておこなう学習の方法について説明する。操作端末１２０を用いておこなう学習は、講座再生アプリケーションを起動し、当該講座再生アプリケーションによって該当する学習コンテンツを再生することによって実現することができる。講座再生アプリケーションは、学習をおこなうメインとなるアプリケーションであって、あらかじめ操作端末１２０にインストールされている。
【００７８】
操作端末１２０は、所定の入力操作を受け付けた場合に、講座再生アプリケーションを起動して、「ワーク」コンテンツや「問題・解答」コンテンツを再生し、ワーク画面や問題提示画面を表示する。再生する学習コンテンツが「ワーク」コンテンツを含む場合、操作端末１２０は、まず、「ワーク」コンテンツを再生し、つづいて「問題・解答」コンテンツを再生する。
【００７９】
操作端末１２０は、再生する学習コンテンツに含まれる問題コンテンツの再生に際しては、問題コンテンツを再生することにより出題される問題に対する解答の入力を受け付けることができる。学習対象者は、提示された問題の解答を入力する。上記のように、操作端末１２０は、解答を入力する操作を受け付けた後、答え合わせを実行する操作を受け付けた場合、入力を受け付けた解答の正誤を判定し、判定結果を表示する。これにより、学習対象者に対して、入力された解答の正誤を即時報知することができる。
【００８０】
上記のように、ワークと解答を含む問題とによって構成される「問題・解答」コンテンツを、操作端末１２０にダウンロードしておくことにより、学習対象者によって解答が入力された場合に直ちに正否を判定し、成績として集計することができる。また、上記のように、各学習コンテンツの１回あたりの再生時間を２０分程度とすることにより、子供が学習中に飽きてしまうことを抑制しつつ、講座ごとに確実に学習させることができる。
【００８１】
たとえば、１学年分などの大きくまとまった学習コンテンツを連続して再生可能とし、子供自身の判断により学習時間（再生時間）を決定させる場合は、講座が完了する前に学習を中断し、当該講座の学習が不完全な状態で終わることが懸念される。これに対し、この発明にかかる実施の形態の通信教育システム１００においては、学習コンテンツを講座ごとにまとめ、かつ、学習コンテンツの１回あたりの再生時間を２０分程度とすることにより、子供が学習中に飽きてしまうことを抑制しつつ、講座ごとに確実に学習させることができる。
【００８２】
（スター発行のルール）
上記のように、この発明にかかる実施の形態の通信教育システム１００においては、操作端末１２０において学習コンテンツを再生する、すなわち操作端末１２０を用いて学習をおこなうと、学習対象者に対して、一日分の学習内容や成績に応じたポイント（スター）を発行する。ポイント（スター）を発行するアプリケーションは、たとえば、操作端末１２０にあらかじめ記憶することができる。ポイント（スター）を発行するアプリケーションは、講座再生アプリケーションと一連のアプリケーションを構成するものであってもよい。
【００８３】
操作端末１２０は、学習コンテンツを最後まで再生するごとに、ポイント（スター）を発行するアプリケーションを実行し、操作端末１２０において設定された条件に基づいて、発行するポイント数を算出する。操作端末１２０は、ポイント（スター）を発行するアプリケーションを実行し、発行するポイント（スター）数の算出をおこなう都度サーバ１１０にアクセスし、サーバ１１０において設定された条件に基づいて、発行するポイント数を算出してもよい。
【００８４】
ポイント（スター）は、たとえば、当日に取り組んだ教材の成績に応じて発行数を調整することができる。この場合、具体的には、たとえば、講座の成績が１００点であれば３つのポイント（スター）を発行し、講座の成績が８０点以上であれば２つのポイント（スター）を発行し、講座の成績が６０点以上であれば１つのポイント（スター）を発行し、講座の成績が６０点未満であればポイント（スター）の発行をおこなわないように設定することができる。
【００８５】
また、ポイント（スター）は、たとえば、当日に取り組んだ講座が、新規の講座（はじめて着手する講座）であったか否かに応じて、発行数を調整してもよい。この場合、具体的には、たとえば、新規の講座の成績が１００点であれば３つのポイント（スター）を発行し、講座の成績が８０点以上であれば２つのポイント（スター）を発行し、講座の成績が６０点以上であれば１つのポイント（スター）を発行し、講座の成績が６０点未満であればポイント（スター）の発行をおこなわないように設定することができる。また、この場合、新規の講座以外の講座の成績が、１００点であれば２つのポイント（スター）を発行し、講座の成績が８０点以上であれば１つのポイント（スター）を発行し、講座の成績が８０点未満であればポイント（スター）の発行をおこなわないように設定することができる。
【００８６】
また、ポイント（スター）は、たとえば、新規の講座の成績が８０点未満であり、満点である３つのポイント（スター）を得ることができなかった場合、当該講座を復習した際の成績が１００点に達した時点で、未獲得分のポイント（スター）を発行するようにしてもよい。具体的には、たとえば、新規の講座の成績が８０点未満であるため１つのポイント（スター）の発行を受けた学習対象者が、当該講座に再度取り組んだ（復習した）際の成績が１００点であった場合、満点である３つから既に獲得している１つを差し引いた２個のポイント（スター）を発行する。これにより、学習対象者に対して、理解が不十分な（満点を取れていない）教科の講座の復習を促すことができる。
【００８７】
ポイント（スター）は、たとえば、ゲームによって特典を実現する場合、ポイント（スター）１つあたり５分間のゲーム時間に換算して利用することができる。この場合、ゲーム時間は、『（獲得したポイント（スター）の数）×（５分）』となる。このように、ポイント（スター）１つあたり５分間のゲーム時間に換算して利用する場合、ポイント（スター）を獲得することによって得られる特典は、ポイント（スター）を所定個数以上集めた場合に限って享受できるようにしてもよい。具体的には、たとえば、ポイント（スター）を３つ以上集めた場合にゲームで遊ぶことが許可されるように設定することができる。この場合、ポイント（スター）を２つ獲得した場合には報告をおこなった場合にもゲームをすることはできず、ポイント（スター）を３つ以上獲得した場合に、獲得したポイント（スター）１つあたり５分のゲーム時間のゲームをすることができる。
【００８８】
また、この場合、獲得できるポイント（スター）の数は、親など学習対象者以外の者が、上限を設定してもよい。具体的には、たとえば、１つあたり５分のゲーム時間に換算できるポイント（スター）の獲得上限数を１２個とした場合、ゲーム時間を最大６０分に制限することができる。また、獲得したポイント（スター）の数にかかわらず、ゲームはできないように設定することもできる。また、ポイント（スター）１つあたりのゲーム時間を、親などが任意に調整できるようにしてもよい。具体的には、たとえば、ポイント（スター）１つあたりのゲーム時間を３分に設定したり、ポイント（スター）１つあたりのゲーム時間を６分に設定したりすることができる。
【００８９】
ポイント（スター）は、学習した時間の長さではなく、実際の学習内容に応じて発行するように設定してもよい。たとえば、同じ講座を学習した場合、成績がよいほど、多くのスターを得ることができるように設定することができる。これにより、子供に対して、「速く」、「正確に」、問題に解答するよう意識させることができ、向上心を養わせることができる。通信教育システム１００においては、当日の学習内容に応じてポイント（スター）が発行され、かつ、当日の学習内容を報告しなければ特典を享受することができないため、「やったふり」などの虚偽の報告ができず、また、「自身の学力で解答せず、模範解答を見ながら解答する」などの不正ができない。これにより、子供の学力を確実に向上させることができる。
【００９０】
また、通信教育システム１００においては、講座の学習を消化し、間違えた箇所は間違いを直し、復習し、ドリルで演習してさらに力を付け、かつ、新規の講座でよい成績ではなくても、復習することによってよい成績をおさめれば同じようにポイント（スター）を獲得し、同じように特典を享受することができるため、子供が自分から取り組みたくなるよう誘導することができる。
【００９１】
（操作端末１２０の表示画面例）
つぎに、操作端末１２０が表示する各種の表示画面例について説明する。図４−１、図４−２、図４−３、図４−４、図４−５および図４−６は、操作端末１２０が表示する各種の表示画面を示す説明図である。図４−１、図４−２、図４−３、図４−４、図４−５および図４−６に示した表示画面は、操作端末１２０を実現するコンピュータ装置が備えるディスプレイ２２７に表示される。
【００９２】
（ホーム画面）
図４−１においては、ホーム画面４０１を示している。操作端末１２０は、たとえば、子供などの学習対象者によって電源スイッチ２３２が押下されるなど、操作端末１２０を起動する操作を受け付けた場合に、ホーム画面４０１を表示する。操作端末１２０は、学習をする際、すなわち、操作端末１２０を起動するごとに必ずホーム画面４０１を表示する。
【００９３】
操作端末１２０は、操作端末１２０に対する直接の操作を受け付けた場合、基本的に（メンテナンスなど特殊な場合を除く通常の使用時には）、学習に関わるアプリケーションのみを起動する。これにより、操作端末１２０を学習専用に用いることができる。そして、これによって、任意のゲームのアプリケーションなどをダウンロード可能にした場合と比較して、子供などの学習対象者に、当該学習対象者を迷わせることなく学習に取り組ませることができる。
【００９４】
操作端末１２０は、ホーム画面４０１において、操作端末１２０において学習可能な教科の一覧４０１ａを表示する。一覧４０１ａには、学習対象とする各教科（たとえば、国語・算数・理科・社会・英語）名や、「漢検ドリル」および「計算ドリル」などの演習問題名が含まれる。学習対象とする各教科は、たとえば、「小学１年生および小学２年生については、『こくご』、『さんすう』の２教科のみ」、「小学３年生および小学４年生については『国語』、『算数』、『理科』、『社会』の４教科」などのように、学習対象者の学年や年齢に応じて調整することができる。また、たとえば、小学１年生および小学２年生については、発行漢字に配慮し、教科名（タイトル）を『こくご』、『さんすう』などのようにひらがな表記にしてもよい。操作端末１２０は、一覧４０１ａの中のいずれかの教科を選択する操作を受け付けた場合に、ホーム画面４０１に切り換えて単元選択画面（図４−２、図４−３を参照）を表示する。
【００９５】
また、操作端末１２０は、ホーム画面４０１において、「れんらくする」キー４０１ｂを表示する。操作端末１２０は、「れんらくする」キー４０１ｂを選択する操作を受け付けた場合に、報告情報送信用のアプリケーションを起動して報告情報を生成し、生成した報告情報をサーバ１１０に送信する。具体的に、操作端末１２０は、「れんらくする」キー４０１ｂを選択する操作を受け付けた場合に、直前に起動されてから「れんらくする」キー４０１ｂを選択する操作を受け付けるまでに再生した学習コンテンツおよび当該学習コンテンツを再生した日時などに基づいて、報告情報を生成する。報告情報は、学習日時（学習コンテンツを再生した日時）、学習した講座のタイトル、学習の成績などの学習内容に関する情報を含む。これにより、学習対象者は、「れんらくする」キー４０１ｂを選択する操作をおこなうだけで、報告情報送信用のアプリケーションを起動し、上記の親への報告をおこなうことができる。
【００９６】
また、操作端末１２０は、ホーム画面４０１において、カレンダー４０１ｃを表示する。カレンダー４０１ｃは、操作端末１２０の起動日が属する月における曜日および日付を表示する。操作端末１２０は、ホーム画面４０１において、カレンダー４０１ｃの日付ごとに、予定などを表示することができる。カレンダー４０１ｃにおける予定は、親または子供が操作端末１２０を直接操作することによって入力できる。カレンダー４０１ｃにおける予定は、たとえば、予定アイコン４０１ｄなどによってあらわすことができる。カレンダー４０１ｃは、１ヶ月単位でスクロールして表示することができ、学習対象者が入力した予定は１ヶ月単位で確認することができる。
【００９７】
予定の記入／追加／変更に際しては、たとえば、文字入力などはおこなわず、通信教育システム１００の運用者（管理者）側であらかじめ用意された予定アイコン４０１ｄを選択して登録させることができる。これにより、低学年の子供でもスケジュール帳にシールを貼っていく感覚でカレンダー機能を利用することができ、子供の満足感を高めることができる。そして、これによって、操作端末１２０に親しませ、操作端末１２０を起動したくなる環境を構築することができる。そして、操作端末１２０を積極的に起動させることによって、学習に取り組みやすい環境を構築することができる。操作端末１２０は、操作端末１２０のカメラ２３１を用いて撮像した写真などの画像データを、カレンダー４０１ｃにおける各日付に関連付けて記憶してもよい。
【００９８】
操作端末１２０においては、たとえば、操作端末１２０を使用する時刻（時間帯）や、インターネットに接続する条件などを設定できるようにしてもよい。そして、親が設定した時刻（時間帯）にアラームが起動するようにしてもよい。これにより、決められた勉強開始時刻が到来したことをアラームにより子供に気づかせることができ、毎日の学習の習慣づけに繋げることができる。なお、これらの条件の設定を可能とする場合、操作端末１２０は、親の同意のもとに設定できるように、親などに確認を要求するダイアログや、親などにパスワードを入力させるダイアログなどを表示させるようにしてもよい。
【００９９】
（単元選択画面）
図４−２および図４−３においては、単元選択画面を示している。図４−２においては、学習教科のうちの「国語」を選択する操作を受け付けた場合に表示される単元選択画面４０２を示している。図４−３においては、学習教科のうちの「英語」を選択する操作を受け付けた場合に表示される単元選択画面４０３を示している。
【０１００】
操作端末１２０は、ホーム画面４０１を表示している状態において、教科の一覧４０１ａの中のいずれかの教科を選択する操作を受け付けた場合に、選択された教科の単元選択画面（講座選択画面）４０２、４０３を表示する。単元選択画面４０２、４０３は、起動日を含む月に履修する講座の一覧４０２ａ、４０３ａを含む。
【０１０１】
操作端末１２０は、単元選択画面４０２、４０３において、講座の一覧４０２ａ、４０３ａを構成する各講座を示すアイコン４０２ｂ、４０３ｂを表示する。各アイコン４０２ｂ、４０３ｂは、それぞれランチャーの機能を備える。操作端末１２０は、単元選択画面４０２、４０３において、１のアイコン４０２ｂ、４０３ｂを選択する操作を受け付けた場合、講座再生アプリケーションを起動し、当該講座再生アプリケーションによって該当する講座の学習コンテンツを再生する。
【０１０２】
操作端末１２０は、単元選択画面４０２において、表示中の月の前月あるいは次月の単元選択画面４０２を表示させる「切り換え」キー４０２ｃを表示する。操作端末１２０は、「切り換え」キー４０２ｃを選択する操作を受け付けた場合に、表示中の単元選択画面４０２を切り換えて、表示中の月の前月または表示中の月の次月の単元選択画面４０２を表示する。
【０１０３】
操作端末１２０は、単元選択画面４０３において、表示中の学習内容（アイコン４０３ｂ）の前あるいは次の学習内容を表示させる「切り換え」キー４０３ｃを表示する。操作端末１２０は、「切り換え」キー４０３ｃを選択する操作を受け付けた場合に、表示中の単元選択画面４０３を切り換えて、表示中の学習内容（アイコン４０３ｂ）の前または表示中の学習内容（アイコン４０３ｂ）の次の学習内容（アイコン４０３ｂ）を含む単元選択画面４０３を表示する。
【０１０４】
上記においては、学習教科における任意の教科が選択された場合を例にして説明したが、操作端末１２０は、「漢検ドリルの起動」あるいは「計算ドリルの起動」を選択する操作を受け付けた場合も、学習教科における任意の教科が選択された場合と同様に動作する。操作端末１２０は、ホーム画面４０１を表示している状態において、学習教材における「漢検ドリルの起動」あるいは「計算ドリルの起動」を選択する操作を受け付けた場合、上記の学習教科についての単元選択画面４０２、４０３と同様の単元選択画面４０２、４０３を表示する。
【０１０５】
（通知画面）
図４−４および図４−５においては、通知画面を示している。図４−４および図４−５において、操作端末１２０は、ホーム画面４０１を表示している状態において、サーバ１１０に対して共有者によるコメントあるいはメッセージの入力がおこなわれた場合、通知画面４０４、４０５を表示する。共有者によるコメントあるいはメッセージの入力がおこなわれた場合、操作端末１２０は、ホーム画面４０１において、「コメントが届いたよ。」などのメッセージ４０４ａを表示した通知画面４０４や、「おとうさんからメッセージがとどいたよ」などのメッセージ４０５ａを表示した通知画面４０５を表示する。
【０１０６】
（トーク画面）
図４−６においては、トーク画面を示している。図４−６において、トーク画面４０６は、操作端末１２０からサーバ１１０に対して送信した報告情報に基づいて、学習内容に関する情報４０６ａを表示する。学習内容に関する情報４０６ａは、トーク画面４０６において、経時順に配列されている。
【０１０７】
学習内容に関する情報４０６ａは、「算数」、「国語」、「漢検ドリル」などのように、操作端末１２０が起動されてから「れんらくする」キー４０１ｂが操作されるまでの間におこなった学習を、教科ごとに案内する。トーク画面４０６は、学習内容に関する情報４０６ａによって案内される学習をおこなった学習対象者を示すアイコン４０６ｂや、学習内容に関する情報４０６ａの送信時刻４０６ｃなどを表示する。トーク画面４０６において、学習をおこなった学習対象者を示すアイコン４０６ｂは、学習内容に関する情報４０６ａと並べて表示されている。また、トーク画面４０６は、学習内容に関する情報４０６ａとともに、当該学習内容に関する情報４０６ａにかかる報告情報の送信時に撮影した写真４０６ｄなどを表示してもよい。
【０１０８】
トーク画面４０６は、学習内容に関する情報４０６ａに加えて、同じ共有グループを構成する端末装置１３０において入力されたコメント４０６ｅを表示する。コメント４０６ｅは、学習内容に関する情報４０６ａに応じて、親などの共有者から学習対象者に対してなされる評価や感想などであって、トーク画面４０６において学習内容に関する情報４０６ａを表示する枠内に表示される。コメント４０６ｅは、当該コメント４０６ｅのサーバ１１０における受信時刻にかかわらず、対応する学習内容に関する情報４０６ａを表示する枠内に表示される。これにより、学習内容に関する情報４０６ａに対するコメント４０６ｅであることを容易かつ確実に伝えることができる。
【０１０９】
また、トーク画面４０６は、学習内容に関する情報４０６ａやコメント４０６ｅに加えて、端末装置１３０や操作端末１２０において入力されたメッセージ４０６ｆを表示する。メッセージ４０６ｆは、学習内容に関する情報４０６ａが示す内容に無関係に、任意の情報によって実現することができる。トーク画面４０６において、メッセージ４０６ｆは、当該メッセージ４０６ｆのサーバ１１０における受信時刻にしたがって、経時順に（時系列で）配列される。これにより、メッセージ４０６ｆのやりとりの経緯を、容易かつ確実に把握することができる。
【０１１０】
学習対象者は、トーク画面４０６に表示された「コメント」キー４０６ｇを操作することによって、操作端末１２０を用いてメッセージ４０６ｆを入力することができる。また、トーク画面４０６に表示された「スタンプ」キー４０６ｈや「写真」キー４０６ｉを操作することによって、テキストによるメッセージの他に、スタンプと称される画像データや、操作端末１２０を用いて撮影した写真画像などをメッセージ４０６ｆとすることができる。
【０１１１】
（端末装置１３０の表示画面例）
つぎに、端末装置１３０が表示する各種の表示画面例について説明する。図５−１、図５−２、図５−３、図５−４、図５−５、図５−６および図５−７は、端末装置１３０が表示する各種の表示画面を示す説明図である。図５−１、図５−２、図５−３、図５−４、図５−５、図５−６および図５−７に示した表示画面は、端末装置１３０を実現するコンピュータ装置が備えるディスプレイ２４５に表示される。
【０１１２】
（トーク画面・その１）
図５−１においては、端末装置１３０に表示されるトーク画面を示している。図５−１において、端末装置１３０に表示されるトーク画面５０１は、トーク画面４０６と同様に、操作端末１２０からサーバ１１０に対して送信した報告情報に基づく、学習内容に関する情報５０１ａを表示する。学習内容に関する情報５０１ａは、トーク画面５０１において、経時順に配列されている。トーク画面５０１において、学習内容に関する情報５０１ａの近傍には、当該学習内容に関する情報５０１ａのサーバ１１０における受信時刻５０１ｂが表示される。
【０１１３】
端末装置１３０において、トーク画面５０１は、端末装置１３０の画面サイズに応じて部分的に表示される。端末装置１３０におけるトーク画面５０１は、手指などで画面を上方向や下方向に送る操作をおこなうことによって、全体を確認することができる。学習内容に関する情報５０１ａは、端末装置１３０の画面サイズに応じて、表示枠のサイズが調整されており、「詳細」キー５０１ｃを操作することによって全体を確認することができる。
【０１１４】
トーク画面５０１は、学習内容に関する情報５０１ａが示す学習内容と同じ、または、当該学習内容に類する問題５０１ｄを、学習内容に関する情報５０１ａの表示枠内に表示する。問題５０１ｄは、学習内容に関する情報５０１ａの表示枠の近傍に配列されるものであってもよい。
【０１１５】
トーク画面５０１において、学習内容に関する情報５０１ａの近傍には、学習内容に対するコメント（図４−６における４０６ｅを参照）を入力させる、「コメントを返す」キー（操作キー）５０１ｅが表示されている。「コメントを返す」キー５０１ｅは、トーク画面５０１において、学習内容に関する情報５０１ａを表示する枠５０１ｆ内に表示される。親などの共有者は、「コメントを返す」キー５０１ｅを操作することによって、トーク画面５０１における学習内容に関する情報５０１ａに対するコメントを入力することができる（図５−３を参照）。
【０１１６】
トーク画面５０１において、枠５０１ｆ内には、「コメントを返す」キー５０１ｅを操作することにより入力されたコメントを表示する領域を示すコメント表示欄５０１ｇが表示されている。「コメントを返す」キー５０１ｅは、コメント表示欄５０１ｇの内側に表示される。コメント表示欄５０１ｇは、たとえば、メッセージ５０１ｉを入力した共有者を示すアイコン５０１ｈが示すキャラクターなどのマーク（共有者の写真や任意のイラストなどでもよい）が示す共有者から発せられた台詞を囲む「吹き出し」のような形状とすることができる。
【０１１７】
トーク画面５０１において、コメント表示欄５０１ｇの内側に「コメントを返す」キー５０１ｅを表示することにより、「コメントを返す」キー５０１ｅが表示されているコメント表示欄５０１ｇを含む枠５０１ｆ内に表示された学習内容に関する情報５０１ａに対して、コメントを残せてないことを明確に分かりやすく、一目瞭然に案内することができる。そして、コメントを残せてないことを明確に分かりやすく案内することにより、枠５０１ｆ内に表示された学習内容に関する情報５０１ａに対して、親などの共有者がコメントを残したくなるように心理的に誘導する効果を期待することができる。これにより、親子のコミュニケーションの活性化を図ることができる。
【０１１８】
トーク画面５０１において、アイコン５０１ｈは、学習をおこなった学習対象者や、親などの共有者を示している。トーク画面５０１において、学習をおこなった学習対象者を示すアイコン５０１ｈは、学習内容に関する情報５０１ａと並べて表示される。トーク画面５０１に表示される、親などの共有者を示すアイコン５０１ｈのうち、トーク画面５０１を見るために端末装置１３０を起動している共有者を示すアイコン５０１ｈは、その他の共有者や学習対象者を示すアイコン５０１とは異なる場所に表示される。たとえば、端末装置１３０を起動している共有者を示すアイコン５０１ｈはトーク画面５０１における右側に表示され、その他の共有者や学習対象者を示すアイコン５０１ｈはトーク画面５０１における左側に表示される。
【０１１９】
トーク画面５０１は、学習内容に関する情報５０１ａに加えて、端末装置１３０や操作端末１２０において入力されたメッセージ５０１ｉを表示する。メッセージ５０１ｉは、学習内容に関する情報５０１ａが示す内容に無関係に、任意の情報によって実現することができる。トーク画面５０１において、情報５０１ａが示す内容とは無関係に入力されたメッセージ５０１ｉは、当該メッセージ５０１ｉのサーバ１１０における受信時刻にしたがって、経時順に（時系列で）配列される。これにより、メッセージ５０１ｉのやりとりの経緯を、容易かつ確実に把握することができる。
【０１２０】
トーク画面５０１は、メッセージ５０１ｉの入力を受け付けるコメント入力欄５０１ｊを表示する。端末装置１３０は、トーク画面５０１の表示中に、コメント入力欄５０１ｊを選択する操作を受け付けた場合、端末装置１３０においてメッセージ５０１ｉの入力を受け付ける表示画面を表示する（図５−３を参照）。また、トーク画面５０１に表示された「スタンプ」キー５０１ｋや「写真」キー５０１ｌを操作することによって、テキストによるメッセージの他に、スタンプと称される画像データや、端末装置１３０を用いて撮影した写真画像などをメッセージ５０１ｉとすることができる。
【０１２１】
さらに、トーク画面５０１は、コメント入力欄５０１ｊに入力されたメッセージ５０１ｉや、「スタンプ」キー５０１ｋや「写真」キー５０１ｌの操作にともなって入力されたスタンプや写真画像などを、サーバ１１０に送信する「送る」キー５０１ｍを表示する。トーク画面５０１において、メッセージ５０１ｉを入力した共有者を示すアイコン５０１ｈは、各メッセージ５０１ｉと並べて表示されている。トーク画面５０１において、各メッセージ５０１ｉの近傍には、当該メッセージ５０１ｉのサーバ１１０における受信時刻５０１ｂが表示される。
【０１２２】
（トーク画面・その２）
図５−２においては、端末装置１３０に表示されるトーク画面を示している。図５−２において、端末装置１３０に表示されるトーク画面５０２は、トーク画面５０１における「詳細」キー５０１ｃが操作された場合に、端末装置１３０に表示される。トーク画面５０２は、学習内容に関する情報５０１ａが示す学習内容よりも、より詳細な学習内容に関する情報５０２ａを表示する。親などの共有者は、コメント入力画面５０１に表示された「詳細」キー５０１ｃを操作することによって、トーク画面５０１において情報５０１ａ示す学習内容を表示させ、学習対象者がおこなった学習内容を確認することができる。
【０１２３】
トーク画面５０２は、より詳細な学習内容に関する情報５０２ａを、トーク画面５０１における情報５０１ａが示すような学習内容に切り換えるための「閉じる」キー５０２ｂを表示する。端末装置１３０は、「閉じる」キー５０２ｂを選択する操作を受け付けた場合、トーク画面５０２をトーク画面５０１に切り換える。
【０１２４】
（コメント入力画面・その１）
図５−３においては、端末装置１３０に表示されるコメント入力画面を示している。図５−３において、端末装置１３０に表示されるコメント入力画面５０３は、トーク画面５０１においてコメント入力欄５０１ｊが操作された場合に、端末装置１３０に表示される。親などの共有者は、コメント入力画面５０２に表示された操作キー５０３ａを操作することによって、テキスト形式のメッセージ４０６ｆ、５０１ｉを入力することができる。
【０１２５】
コメント入力画面５０３は、表示中の画面が、テキスト形式のメッセージ４０６ｆ、５０１ｉを入力するコメント入力欄５０１ｊを表示する。また、コメント入力画面５０３は、表示中の画面を、スタンプと称される画像データを入力するコメント入力画面（図５−４、図５−５を参照）に切り換える「スタンプ」キー５０１ｋや、端末装置１３０を用いて撮影した写真画像などの画像データを入力するコメント入力画面（図５−６を参照）に切り換える「写真」キー５０１ｌを表示する。
【０１２６】
（コメント入力画面・その２）
図５−４においては、端末装置１３０に表示されるコメント入力画面を示している。図５−４において、端末装置１３０に表示されるコメント入力画面５０４は、トーク画面５０１において「スタンプ」キー５０１ｋが操作された場合やコメント入力画面５０３において「スタンプ」キー５０１ｋが操作された場合に、端末装置１３０に表示される。親などの共有者は、コメント入力画面５０４においてスタンプ５０４ａを選択することによって、当該スタンプ５０４ａを入力することができる。コメント入力画面５０４において入力可能なスタンプ５０４ａは、コメント入力画面５０４に表示された各種のタブ５０４ｂを選択することにより、複数種類に切り換えることができる（図５−５を参照）。
【０１２７】
（コメント入力画面・その３）
図５−５においては、端末装置１３０に表示されるコメント入力画面を示している。図５−５において、端末装置１３０に表示されるコメント入力画面５０５は、コメント入力画面５０４において、所定のタブ５０４ｂを選択する操作を受け付けた場合に、端末装置１３０に表示される。コメント入力画面５０５は、コメント入力画面５０４に表示されたスタンプ５０４ａとは異なるスタンプ５０５ａを表示する。親などの共有者は、コメント入力画面５０５においてスタンプ５０５ａを選択することによって、当該スタンプ５０５ａを入力することができる。
【０１２８】
また、コメント入力画面５０５は、あらかじめ設定された定型メッセージを入力するための「おすすめコメント」キー５０５ｂを表示する。端末装置１３０は、「おすすめコメント」キー５０５ｂを選択する操作を受け付けた場合、たとえば、あらかじめ設定された定型メッセージの一覧を表示する。この場合、親などの共有者は、あらかじめ設定された定型メッセージの一覧の中から、選択された定型メッセージをコメント入力欄５０１ｊに表示する。
【０１２９】
（コメント入力画面・その４）
図５−６においては、端末装置１３０に表示されるコメント入力画面を示している。図５−６において、端末装置１３０に表示されるコメント入力画面５０６は、トーク画面５０１において「写真」キー５０１ｌが操作された場合やコメント入力画面５０３、５０４、５０５において「写真」キー５０１ｌが操作された場合に、端末装置１３０に表示される。親などの共有者は、コメント入力画面５０６において、「写真を選択する」キー５０６ａを操作してあらかじめ撮影してある写真を選択したり、「写真を撮る」キー５０６ｂを操作して写真を撮影することによって、該当する写真５０６ｃを入力することができる。
【０１３０】
（トーク画面・その３）
図５−７においては、端末装置１３０に表示されるトーク画面を示している。図５−７において、端末装置１３０に表示されるトーク画面５０７は、コメント入力画面５０３、５０４、５０５、５０６において所定の操作をおこなうことによって入力されたテキスト形式のメッセージ５０１ｉや、スタンプ５０４ａ、５０５ａや、写真５０６ｃなどを表示する。
【０１３１】
上記のように、トーク画面５０１、５０２における「コメントを返す」キー５０１ｅが操作された場合、コメント入力画面５０３（あるいはコメント入力画面５０４やコメント入力画面５０５やコメント入力画面５０６）が表示される。親などの共有者が、「コメントを返す」キー５０１ｅを操作することによって表示させたコメント入力画面５０３、５０４、５０５、５０６において所定の操作をおこなうことによって入力されたコメント５０７ａは、当該コメント５０７ａのサーバ１１０における受信時刻にかかわらず、学習内容に関する情報５０１ａを表示する枠５０１ｆ内に表示される。
【０１３２】
（サーバ１１０の機能的構成）
つぎに、この発明にかかる実施の形態の通信教育システム１００におけるサーバ１１０の機能的構成について説明する。図６は、この発明にかかる実施の形態の通信教育システム１００におけるサーバ１１０の機能的構成を示す説明図である。
【０１３３】
図６において、この発明にかかる実施の形態の通信教育システム１００におけるサーバ１１０は、記憶部６０１、受信部６０２、共有グループ特定部６０３、報告情報抽出部６０４、画面情報生成部６０５、送信部６０６を備える。サーバ１１０の各機能を実現する各部６０１〜６０６は、サーバ１１０を実現するコンピュータ装置が備える各部によって実現することができる。
【０１３４】
記憶部６０１は、加入者データベース３１０（第１の記憶部６０１）、教材データベース３２０、学習履歴データベース３３０、受信情報データベース３４０（第２の記憶部６０１）などの各種のデータベースを格納する。また、記憶部６０１は、端末装置１３０や操作端末１２０から送信される情報に基づいて、適宜これらの各種のデータベースの更新をおこなう。
【０１３５】
受信部６０２は、学習対象者の端末装置である操作端末１２０から報告情報を受信する。報告情報は、当該学習対象者の識別情報と当該操作端末１２０を用いた学習内容に関する情報とを含む。また、受信部６０２は、親などの共有者の端末装置１３０や操作端末１２０から閲覧要求を受信する。端末装置１３０から送信される閲覧要求は、共有者の識別情報を含む。操作端末１２０から送信される閲覧要求は、学習対象者の識別情報を含む。操作端末１２０および端末装置１３０は、受信情報データベース３４０が更新された場合に、サーバ１１０から送信された更新通知を受信した場合に、サーバ１１０に対して閲覧要求を送信する。
【０１３６】
また、受信部６０２は、端末装置１３０や操作端末１２０からコメント情報を受信する。端末装置１３０から送信されるコメント情報は、共有者の識別情報と、端末装置１３０に表示された操作キーの操作にともなって入力されたコメントに関する情報と、当該コメントが入力された報告情報を特定する特定情報と、を含む。入力されたコメントに関する情報は、端末装置１３０に表示された操作キーの操作にともなって入力されたコメント、すなわち、報告情報に対するコメントに関する情報に限るものではない。この場合、コメント情報は、共有者の識別情報と共有者の端末装置において入力されたコメントに関する情報とを含む。操作端末１２０から送信されるコメント情報は、学習対象者の識別情報と、操作端末１２０において入力されたコメントに関する情報と、を含む。
【０１３７】
記憶部６０１は、受信部６０２が報告情報を受信した場合、受信した報告情報に基づいて、受信情報データベース３４０を更新する。また、記憶部６０１は、受信部６０２がコメント情報を受信した場合、受信したコメント情報に基づいて、受信情報データベース３４０を更新する。
【０１３８】
共有グループ特定部６０３は、加入者データベース３１０（第１の記憶部６０１）を参照して、受信した報告情報に含まれる学習対象者の識別情報に関連付けられた共有グループを特定する。また、共有グループ特定部６０３は、加入者データベース３１０（第１の記憶部６０１）を参照して、受信部６０２が受信したコメント情報や閲覧要求に含まれる共有者の識別情報や学習対象者の識別情報に関連付けられた共有グループを特定する。
【０１３９】
報告情報抽出部６０４は、受信情報データベース３４０（第２の記憶部６０１）を参照して、共有グループ特定部６０３が特定した共有グループの識別情報に関連付けられた報告情報を抽出する。画面情報生成部６０５は、画面情報を生成する。画面情報生成部６０５は、端末装置１３０に表示させる共有者用の画面情報と、操作端末１２０に表示させる学習対象者用の画面情報と、を生成する。
【０１４０】
画面情報生成部６０５は、操作端末１２０から送信された報告情報を受信した場合に、画面情報を生成する。画面情報生成部６０５は、操作端末１２０や端末装置１３０から送信されたコメント情報や閲覧情報を受信した場合に、画面情報を生成する。画面情報生成部６０５は、操作端末１２０や端末装置１３０から送信された報告情報やコメント情報を受信することによって受信情報データベース３４０が更新されるごとに、画面情報を生成する。
【０１４１】
画面情報生成部６０５は、端末装置１３０に表示させる共有者用の画面情報として、端末装置１３０においてトーク画面５０１を表示させる画面情報を生成する。上記のように、トーク画面５０１においては、学習内容に関する情報が経時順に配列され、学習内容に関する情報の近傍に「コメントを返す」キー（操作キー）５０１ｅが配列されている。
【０１４２】
また、トーク画面５０１においては、コメントに関する情報が、経時順に配列されている。さらに、共有者用の画面情報に基づいて表示されるトーク画面５０１においては、学習内容と同じまたは当該学習内容に類する問題が、特定した報告情報の表示枠内または特定した報告情報の近傍に配列されている。
【０１４３】
画面情報生成部６０５は、操作端末１２０に表示させる学習対象者用の画像情報として、操作端末１２０においてトーク画面４０６を表示させる画面情報を生成する。上記のように、トーク画面４０６においては、学習内容に関する情報が経時順に配列されている。トーク画面４０６においては、「コメントを返す」キー（操作キー）５０１ｅは表示されない。また、トーク画面４０６においては、コメントに関する情報が、経時順に配列されている。
【０１４４】
具体的には、画面情報生成部６０５は、受信部６０２が受信した報告情報に含まれる学習内容に関する情報および当該報告情報を受信した日時を、受信部６０２が受信した報告情報に関連付けられた日時にしたがって記述することにより、トーク画面４０６、５０１を表示させる画面情報を生成する。また、具体的には、画面情報生成部６０５は、受信部６０２が受信したコメント情報および当該コメント情報を受信した日時を、受信部６０２が受信したコメント情報に関連付けられた日時にしたがって記述することにより、トーク画面４０６、５０１を表示させる画面情報を生成する。
【０１４５】
送信部６０６は、画面情報生成部６０５が生成した画面情報を、共有グループ特定部６０３が特定した共有グループに属する端末装置１３０、および、当該共有グループに属する操作端末１２０に送信する。送信部６０６は、受信情報データベース３４０が更新された場合、共有グループ特定部６０３が特定した共有グループに属する端末装置１３０および操作端末１２０に、受信情報データベース３４０が更新されたことを通知する通知情報を送信し、送信した通知情報に応じて端末装置１３０や操作端末１２０から閲覧要求を受信した場合に、該当する端末装置１３０や操作端末１２０に対して画面情報生成部６０５が生成した画面情報を送信する。
【０１４６】
（サーバ１１０の処理手順）
つぎに、この発明にかかる実施の形態の通信教育システム１００におけるサーバ１１０の処理手順について説明する。図７および図８は、サーバ１１０の処理手順を示すフローチャートである。
【０１４７】
図７のフローチャートにおいて、まず、操作端末１２０から送信された報告情報を受信したか否かを判断する（ステップＳ７０１）。ステップＳ７０１において、操作端末１２０から送信された報告情報を受信した場合（ステップＳ７０１：Ｙｅｓ）、受信した報告情報に含まれる、学習対象者の識別情報を抽出する（ステップＳ７０２）。そして、加入者データベース３１０を参照して、ステップＳ７０２において抽出した学習対象者の識別情報に関連付けられた共有グループの識別情報を特定する（ステップＳ７０３）。
【０１４８】
つぎに、ステップＳ７０３において特定した共有グループの識別情報に関連付けて、ステップＳ７０１：Ｙｅｓにおいて受信した報告情報に含まれる学習内容に関する情報、および、当該報告情報の送信元となる学習対象者の識別情報（あるいは該当する操作端末１２０の識別情報）を記憶することにより、受信情報データベース３４０を更新する（ステップＳ７０４）。そして、更新通知を生成する（ステップＳ７０５）。
【０１４９】
ステップＳ７０５においては、加入者データベース３１０を参照して、ステップＳ７０３において特定した共有グループの識別情報に関連付けられた学習対象者の識別情報によって特定される操作端末１２０、および、共有者の識別情報によって特定される端末装置１３０を特定する。つぎに、特定した操作端末１２０および端末装置１３０を通知先とする、受信情報データベース３４０の内容が更新されたことを通知する更新通知を生成する。
【０１５０】
その後、ステップＳ７０５における更新通知の生成に際して特定した操作端末１２０および端末装置１３０に対して、ステップＳ７０５において生成した更新通知を送信して（ステップＳ７０６）、一連の処理を終了する。
【０１５１】
ステップＳ７０１において、操作端末１２０から送信された報告情報を受信していない場合（ステップＳ７０１：Ｎｏ）、操作端末１２０あるいは端末装置１３０から送信されたコメント情報を受信したか否かを判断する（ステップＳ７０７）。ステップＳ７０７において、操作端末１２０あるいは端末装置１３０から送信されたコメント情報を受信していない場合（ステップＳ７０７：Ｎｏ）、ステップＳ７０１へ戻る。
【０１５２】
ステップＳ７０７において、操作端末１２０あるいは端末装置１３０から送信されたコメント情報を受信した場合（ステップＳ７０７：Ｙｅｓ）、受信したコメント情報に含まれる、学習対象者の識別情報または共有者の識別情報を抽出する（ステップＳ７０８）。そして、加入者データベース３１０を参照して、ステップＳ７０８において抽出した学習対象者の識別情報または共有者の識別情報に関連付けられた共有グループの識別情報を特定する（ステップＳ７０９）。
【０１５３】
つぎに、ステップＳ７０７：Ｙｅｓにおいて受信したコメント情報に、報告情報を識別する識別情報が含まれているか否かを判断する（ステップＳ７１０）。ステップＳ７１０において、ステップＳ７０７：Ｙｅｓにおいて受信したコメント情報に、報告情報を識別する識別情報が含まれていない場合（ステップＳ７１０：Ｎｏ）、ステップＳ７０４へ移行する。この場合、ステップＳ７０４においては、ステップＳ７０９において特定した共有グループの識別情報に関連付けて、ステップＳ７０７：Ｙｅｓにおいて受信したコメント情報に含まれるコメントに関する情報、および、当該コメント情報の送信元となる学習対象者あるいは共有者の識別情報（あるいは該当する操作端末１２０あるいは端末装置１３０の識別情報）を記憶することにより、受信情報データベース３４０を更新する。
【０１５４】
一方、ステップＳ７１０において、ステップＳ７０７：Ｙｅｓにおいて受信したコメント情報に、報告情報を識別する識別情報が含まれている場合（ステップＳ７１０：Ｙｅｓ）、ステップＳ７０９において特定したコメント情報に含まれる報告情報の識別情報に基づいて、報告情報を特定し（ステップＳ７１１）、ステップＳ７０４へ移行する。この場合、ステップＳ７０４においては、ステップＳ７０９において特定した共有グループの識別情報に関連付けて、ステップＳ７０７：Ｙｅｓにおいて受信したコメント情報に含まれるコメントに関する情報と、当該コメント情報の送信元となる共有者の識別情報（あるいは該当する端末装置１３０の識別情報）と、ステップＳ７１１において特定した報告情報（報告情報の識別情報）と、を記憶することにより、受信情報データベース３４０を更新する。
【０１５５】
図８のフローチャートにおいて、まず、操作端末１２０または端末装置１３０から送信された閲覧要求または起動通知を受信するまで待機する（ステップＳ８０１：Ｎｏ）。ステップＳ８０１において、操作端末１２０または端末装置１３０から送信された閲覧要求または起動通知を受信した場合（ステップＳ８０１：Ｙｅｓ）、受信した閲覧要求に、学習対象者の識別情報が含まれるか否かを判断する（ステップＳ８０２）。
【０１５６】
ステップＳ８０２において、ステップＳ８０１：Ｙｅｓにおいて受信した閲覧要求または起動通知に、学習対象者の識別情報が含まれる場合（ステップＳ８０２：Ｙｅｓ）、当該閲覧要求に含まれる学習対象者の識別情報を抽出する（ステップＳ８０３）。そして、加入者データベース３１０を参照して、ステップＳ８０３において抽出した学習対象者の識別情報に関連付けられた共有グループの識別情報を特定する（ステップＳ８０４）。
【０１５７】
つぎに、ステップＳ８０４において特定した共有グループの識別情報に基づき、受信情報データベース３４０を参照して、学習対象者用の画面情報を生成する（ステップＳ８０５）。その後、ステップＳ８０１：Ｙｅｓにおいて受信した閲覧要求の送信元となる操作端末１２０に対して、ステップＳ８０５において生成した学習対象者用の画面情報を送信して（ステップＳ８０６）、一連の処理を終了する。
【０１５８】
ステップＳ８０２において、ステップＳ８０１：Ｙｅｓにおいて受信した閲覧要求または起動通知に、学習対象者の識別情報が含まれない場合（ステップＳ８０２：Ｎｏ）、当該閲覧要求に含まれる共有者の識別情報を抽出する（ステップＳ８０７）。そして、加入者データベース３１０を参照して、ステップＳ８０７において抽出した共有者の識別情報に関連付けられた共有グループの識別情報を特定する（ステップＳ８０８）。
【０１５９】
つぎに、ステップＳ８０８において特定した共有グループの識別情報に基づき、受信情報データベース３４０を参照して、共有者用の画面情報を生成する（ステップＳ８０９）。その後、ステップＳ８０１：Ｙｅｓにおいて受信した閲覧要求の送信元となる端末装置１３０に対して、ステップＳ８０９において生成した共有者用の画面情報を送信して（ステップＳ８０６）、一連の処理を終了する。
【０１６０】
このように、操作端末１２０を用いて学習をおこなうことにより、紙ベースの教材だけでは理解が難しい内容を、タブレット端末ならではの操作、表現能力により理解することができる。操作端末１２０を用いて学習をおこなうことにより、触る・見る・聞く・話すなど五感を使って学習することができるので、紙ベースの教材を用いた学習と比較して理解を深めることができる。
【０１６１】
また、操作端末１２０を用いて学習をおこなうことにより、子供が自律的に学習に取り組むことができ、学習習慣を身に付けることができる。さらに、サーバ１１０と通信可能な操作端末１２０を用いて学習をおこなうことにより、子供の学習状況を的確かつタイムリーに把握することができる。
【０１６２】
また、操作端末１２０を用いて学習をおこなうことにより、子供が操作に迷わず、一人で学習に取り組むことができる。学習のための操作端末１２０を用いて、ゲームで遊ぶことができるため、毎日操作端末１２０に触れても飽きさせず、むしろ操作端末１２０を毎日開きたくなる気持ちにさせることができる。
【０１６３】
このように、この発明にかかる実施の形態の通信教育システム１００によれば、問題の正誤をすぐに判定することにより、子供の疑問や弱点を「その日のうちに」解決することができる点において、通信添削と比較して優れている。子供の疑問や弱点を「その日のうちに」解決し、正解に到達させることにより、達成感を与え、やる気を高めることができる。
【０１６４】
また、この発明にかかる実施の形態の通信教育システム１００によれば、「その日のうちに」解決できる学習塾や家庭教師を利用した学習と比較して、毎日学習塾に通う煩わしさや、学習にかかる費用を抑えることができる。また、操作端末１２０をスケジュール帳として使うことができるので、本物のタブレット端末を自分専用で持つ喜びを与え、自立して学習する習慣を身に付けさせることができる。そして、学習習慣を身につけさせることにより、学力の向上につなげることができる。
【０１６５】
操作端末１２０を用いて学習をおこなうことにより、子供ごとに適した教材を用いて学習することができる。具体的には、たとえば、漢検ドリルや計算ドリルなどを活用することにより、自分の力や目指す級に応じていつでも取り組むことができる。
【０１６６】
そして、頑張った成果はポイント（スター）で可視化されるため、子供に学習の結果を分かりやすく伝えることができ、かつ、ポイント（スター）を集めるほど長い時間ゲームで遊ぶことができるので、子供のやる気を向上させることができる。また、スケジュール帳として使うことができるので、本物のタブレットを自分専用で持つ喜びを与え、自立して学習する習慣を身に付けさせることができる。
【０１６７】
また、この発明にかかる実施の形態の通信教育システム１００によれば、親の端末装置１３０に、毎日の取り組みを報告メールを介して伝えることができるので、親はどこにいても子供の学習状況をすぐに把握することができる。また、この発明にかかる実施の形態の通信教育システム１００によれば、子供からの報告にコメントやシールを返すことができるので、親子のコミュニケーションの活性化を図ることができる。さらに、この発明にかかる実施の形態の通信教育システム１００によれば、どこをほめればよいのか「ほめポイント」を知らせることができるので、親に負担をかけることなく、親子のコミュニケーションの活性化を図ることができる。
【０１６８】
以上説明したように、この発明にかかる実施の形態の通信教育システム１００は、サーバ１１０を実現するコンピュータ装置に学習賛助プログラムを実行させることにより、操作端末１２０から報告情報を受信した場合、加入者データベース３１０（第１の記憶部）を参照して共有グループを特定し、特定した共有グループの識別情報に関連付けて、受信した報告情報および当該報告情報を受信した日時に関する情報を受信情報データベース３４０（第２の記憶部）に記憶する。
【０１６９】
そして、親などの共有者の端末装置１３０または操作端末１２０から閲覧要求を受信した場合、加入者データベース３１０を参照して共有グループを特定し、特定した共有グループの識別情報に関連付けられた報告情報を受信情報データベース３４０から抽出し、抽出した報告情報に基づいて、学習内容に関する情報を経時順に配列したトーク画面を端末装置１３０および操作端末１２０に表示させる画面情報を生成し、生成した画面情報を、閲覧要求に基づいて特定した共有グループに属する端末装置１３０および操作端末１２０に送信する、処理を実行させることを特徴としている。
【０１７０】
この発明にかかる実施の形態の学習賛助プログラムによれば、学習対象者がおこなった学習内容を、当該学習対象者および当該学習対象者と同じ共有グループに属する共有者が把握することができる。学習対象者が報告情報を送信するごとに受信情報データベースを更新することにより、共有者は、学習内容や進捗状況をリアルタイムで把握することができる。すなわち、この発明にかかる実施の形態の学習賛助プログラムによれば、インスタントメッセンジャー（Ｉｎｓｔａｎｔ  Ｍｅｓｓｅｎｇｅｒ）と称されるアプリケーションを利用したコミュニケーションのように、学習対象者と共有者とが、学習対象者がおこなった学習内容をリアルタイムで把握することができる。
【０１７１】
このように、学習対象者と共有者とが、学習内容や進捗状況を常に共有することにより、学習対象者と共有者との間における円滑なコミュニケーションを支援することができる。具体的には、たとえば、学習において苦手なことがあった場合、共有者から学習対象者に早めに声をかけることができ、学習対象者の学習を共有者が効果的に支援することができる。
【０１７２】
また、この発明にかかる実施の形態の通信教育システム１００によれば、子供などの学習対象者が操作端末１２０を用いておこなった学習内容を、正確に、親などの共有者に伝えることができる。これにより、この発明にかかる実施の形態のサーバ１１０によれば、子供から親へ学習内容を逐一報告するために子供に負担をかけたり、親が子供の学習状況を逐一確認するために親に負担をかけたりすることなく、子供の学習状況を親が把握することができる。このように、この発明にかかる実施の形態の通信教育システム１００によれば、親に過剰な負担をかけることなく、通信を利用した学習対象者の学習を支援する親の活動を賛助することができる。
【０１７３】
子供にとっては親からほめられることが、何よりも学習に対するモチベーションとなる。この発明にかかる実施の形態の通信教育システム１００によれば、親からのほめ言葉や励ましの言葉をコメントとして表示して学習対象者である子供に直接伝えることにより、当該子供の学習意欲の維持および向上に繋げることができる。また、ほめ言葉や励ましのコメントは、すべての共有者に対して表示されるため、これによっても学習対象者（子供）の学習意欲の維持および向上に繋げることができる。
【０１７４】
また、この発明にかかる実施の形態の通信教育システム１００は、サーバ１１０を実現するコンピュータ装置に学習支援プログラムを実行させることにより、学習内容に関する情報を経時順に配列するとともに当該学習内容に対するコメントを入力させる「コメントを返す」キー（操作キー）５０１ｅを配列したトーク画面５０１を端末装置１３０に表示させる共有者用の画面情報と、学習内容に関する情報を経時順に配列したトーク画面４０６を操作端末１２０に表示させる学習対象者用の画面情報と、を生成し、生成した共有者用の画面情報を端末装置１３０に送信するとともに、生成した学習対象者用の画面情報を操作端末１２０に送信する。
【０１７５】
また、端末装置１３０からコメント情報を受信した場合、加入者データベース３１０を参照して共有グループを特定し、特定した共有グループの識別情報に関連付けて、受信したコメント情報および当該コメント情報を受信した日時に関する情報を受信情報データベース３４０に記憶し、少なくとも操作端末１２０において、特定した報告情報の表示枠内または特定した報告情報の近傍にコメント４０６ｅを配列したトーク画面４０６を表示させる学習対象者用の画面情報を生成することを特徴としている。
【０１７６】
この発明にかかる実施の形態の学習賛助プログラムによれば、少なくとも操作端末１２０において、学習内容に関するコメント４０６ｅを、当該学習内容に基づく報告情報の表示枠内または特定した報告情報の近傍に表示させることにより、学習対象者に対して、当該学習内容に対するコメントであることを容易に案内することができる。そして、このように、学習内容に対する共有者の反応を目に見える形であらわすことによって、学習対象者の学習に対する達成感を高め、学習対象者の学習を効果的に支援することができる。
【０１７７】
また、この発明にかかる実施の形態の通信教育システム１００は、サーバ１１０を実現するコンピュータ装置に学習支援プログラムを実行させることにより、学習内容と同じまたは当該学習内容に類する問題を、特定した報告情報の表示枠内または特定した報告情報の近傍に配列したトーク画面を、端末装置１３０に表示させる共有者用の画面情報を生成することを特徴としている。
【０１７８】
この発明にかかる実施の形態の学習賛助プログラムによれば、端末装置１３０において、学習内容と同じまたは当該学習内容に類する問題を表示させることにより、学習対象者の学習内容に対する共有者の認識や理解を高め、学習対象者と共有者との間におけるより一層の円滑なコミュニケーションを支援することができる。具体的には、たとえば、学習内容に類する問題を学習対象者に出題するなどしてコミュニケーションをとることができ、学習対象者の学習を共有者が効果的に支援することができる。
【０１７９】
また、この発明にかかる実施の形態の通信教育システム１００は、サーバ１１０を実現するコンピュータ装置に学習支援プログラムを実行させることにより、端末装置１３０からコメント情報を受信した場合、加入者データベース３１０を参照して共有グループを特定し、特定した共有グループの識別情報に関連付けて、受信したコメント情報および当該コメント情報を受信した日時に関する情報を受信情報データベース３４０に記憶し、端末装置１３０および操作端末１２０において、端末装置１３０から送信されたコメント情報に含まれるコメントに関する情報を、経時順に配列したトーク画面を表示させる画面情報を生成することを特徴としている。
【０１８０】
この発明にかかる実施の形態の学習賛助プログラムによれば、端末装置１３０および操作端末１２０において、端末装置１３０から送信されたコメントを経時順に配列したトーク画面を表示することができる。これにより、学習内容以外についても、通信教育システム１００を介してコミュニケーションをとることができ、これによって学習内容についてのコミュニケーションをより一層とりやすくなるので、学習対象者の学習を効果的に支援することができる。
【０１８１】
また、この発明にかかる実施の形態の通信教育システム１００は、サーバ１１０を実現するコンピュータ装置に学習支援プログラムを実行させることにより、操作端末１２０からコメント情報を受信した場合、加入者データベース３１０を参照して共有グループを特定し、特定した共有グループの識別情報に関連付けて、受信したコメント情報および当該コメント情報を受信した日時に関する情報を受信情報データベース３４０に記憶し、端末装置１３０および操作端末１２０において、操作端末１２０から送信されたコメント情報に含まれるコメントに関する情報を、経時順に配列したトーク画面を表示させる画面情報を生成することを特徴としている。
【０１８２】
この発明にかかる実施の形態の学習賛助プログラムによれば、端末装置１３０および操作端末１２０において、操作端末１２０から送信されたコメントを経時順に配列したトーク画面を表示することができる。これにより、学習内容以外についても、通信教育システム１００を介してコミュニケーションをとることができ、これによって学習内容についてのコミュニケーションをより一層とりやすくなるので、学習対象者の学習を効果的に支援することができる。
【０１８３】
また、この発明にかかる実施の形態の学習賛助プログラムによれば、操作端末１２０や端末装置１３０から送信されたコメントを表示するトーク画面は、共有グループに属する学習対象者および共有者に限定することができる。これにより、悪意の第三者により不適切な情報が学習対象者に提供されることなどを防止し、学習対象者に対して、操作端末１２０などの通信機器を用いたコミュニケーションを安全な環境下において体得させることができる。
【０１８４】
なお、この実施の形態で説明した学習賛助方法は、あらかじめ用意されたプログラムをパーソナルコンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【産業上の利用可能性】
【０１８５】
以上のように、この発明にかかる学習賛助プログラムは、通信教育を利用した学習を賛助する学習賛助プログラムに有用であり、特に、小学児童などの学習対象者の自立した学習を賛助する学習賛助プログラムに適している。
【符号の説明】
【０１８６】
１００  通信教育システム
１１０  サーバ
１２０  操作端末
１３０  親の端末装置
３１０  加入者データベース
３４０  受信情報データベース
６０１  記憶部
６０２  受信部
６０３  共有グループ特定部
６０４  報告情報抽出部
６０５  画面情報生成部
６０６  送信部
【図１】
2015102557.tif 000003
【図２−１】
2015102557.tif 000004
【図２−２】
2015102557.tif 000005
【図２−３】
2015102557.tif 000006
【図３−１】
2015102557.tif 000007
【図３−２】
2015102557.tif 000008
【図３−３】
2015102557.tif 000009
【図３−４】
2015102557.tif 000010
【図４−１】
2015102557.tif 000011
【図４−２】
2015102557.tif 000012
【図４−３】
2015102557.tif 000013
【図４−４】
2015102557.tif 000014
【図４−５】
2015102557.tif 000015
【図４−６】
2015102557.tif 000016
【図５−１】
2015102557.tif 000017
【図５−２】
2015102557.tif 000018
【図５−３】
2015102557.tif 000019
【図５−４】
2015102557.tif 000020
【図５−５】
2015102557.tif 000021
【図５−６】
2015102557.tif 000022
【図５−７】
2015102557.tif 000023
【図６】
2015102557.tif 000024
【図７】
2015102557.tif 000025
【図８】
2015102557.tif 000026